(57)【要約】  本発明は、リソース割当てのためのリソース割当て方法および装置を開示し、通信技術の分野に関する。先行技術では、専用リソースが偶発的事象に関連する指定サービスに割り当てられたとき、当該専用リソースが占有されたままとなり、ネットワーク上のリソースの利用効率が低下する。ネットワーク上のリソース占有が第１の閾値を越えたことを検出したとき、ネットワーク側は第１のメッセージを端末に送信する。第１のメッセージは指定サービスの専用リソースを運搬する。本発明の諸実施形態はリソース割当ての処理プロセスに適用可能である。
2016506189.tif 000002
【特許請求の範囲】
【請求項１】
ネットワーク上のリソース占有が第１の閾値を越えることが検出されたとき、第１のメッセージを端末に送信して、前記端末が前記端末上の指定サービスのリソース割当てを専用リソースに従って決定するようにするステップであって、前記第１のメッセージは前記指定サービスの前記専用リソースを運搬し、前記専用リソースは、前記端末で前記指定サービスを開始したときに選択され占有されるリソースであるステップを含む、リソース割当て方法。
【請求項２】
前記端末が前記端末上の前記指定サービスのリソース割当てを前記専用リソースに従って決定することは、前記指定サービスに関するアクセス開始命令が受信されたとき、リソースが前記専用リソースから選択され占有されるように、前記専用リソースを起動状態に設定するステップを含む、請求項１に記載のリソース割当て方法。
【請求項３】
前記第１のメッセージはページング・メッセージまたはブロードキャスト・メッセージである、請求項２に記載のリソース割当て方法。
【請求項４】
前記第１のメッセージが第１のブロードキャスト・メッセージであるとき、第１のメッセージを前記端末に送信した後、
修正指示を運搬する第１のページング・メッセージを前記端末に送信するステップと、
第２のブロードキャスト・メッセージを前記端末に送信するステップであって、前記端末が前記指定サービスの前記専用リソースを停止状態に設定し、第２の指定サービスの前記専用リソースを起動状態に設定するように、前記第２のブロードキャスト・メッセージは前記第２の指定サービスの専用リソースを運搬する、ステップと、
をさらに含む、請求項３に記載のリソース割当て方法。
【請求項５】
前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、第１のメッセージを前記端末に送信した後、
前記端末が対応する専用リソースを前記第１の識別子に従って発見し、前記専用リソースを起動状態に設定し、前記端末が前記第１の識別子に対応する指定サービスに関するアクセス開始命令を受信したとき、リソースを前記専用リソースから選択し前記リソースを占有するように、第１の識別子を運搬する第２のページング・メッセージを前記端末に送信するステップ
をさらに含む、請求項１に記載のリソース割当て方法。
【請求項６】
第１のメッセージを前記端末に送信した後、
前記端末が前記専用リソースを起動状態に設定し、前記端末が前記指定サービスに関するアクセス開始命令を受信したとき、リソースを前記専用リソースから選択し、前記リソースを占有するように、指定サービス警告指示を運搬する第３のページング・メッセージを前記端末に送信するステップ
さらに含む、請求項１に記載のリソース割当て方法。
【請求項７】
前記端末が前記専用リソースを起動状態に設定することは、
前記端末により、事前設定有効時間に従って前記専用リソースを前記起動状態に設定するステップであって、前記事前設定有効時間は前記専用リソースがアクティブである期間であるステップ
を含む、請求項２乃至５の何れか１項に記載のリソース割当て方法。
【請求項８】
前記事前設定有効時間が前記端末で事前設定されたタイマの設定時刻であるとき、第１のメッセージを前記端末に送信した後、
前記端末が前記タイマを再開するように、指定サービス警告指示を運搬する第４のページング・メッセージを前記端末に送信するステップ
をさらに含む、請求項７に記載のリソース割当て方法。
【請求項９】
第１のメッセージを前記端末に送信した後、
前記端末が前記指定サービス警告情報を取得するように、指定サービス警告情報を運搬する第４のブロードキャスト・メッセージを前記端末に送信するステップ
をさらに含む、請求項７に記載のリソース割当て方法。
【請求項１０】
前記端末が前記リソース有効時間を取得し格納し、前記リソース有効時間を前記事前設定有効時間として使用するように、前記第４のブロードキャスト・メッセージはリソース有効時間をさらに運搬し、前記リソース有効時間は前記専用リソースがアクティブである期間である、請求項９に記載のリソース割当て方法。
【請求項１１】
前記端末が前記リソース有効時間を取得し格納し、前記リソース有効時間を前記事前設定有効時間として使用するように、前記第１のメッセージはリソース有効時間をさらに運搬し、前記リソース有効時間が前記専用リソースがアクティブである期間である、請求項７に記載のリソース割当て方法。
【請求項１２】
前記ネットワーク上のリソース占有が第２の閾値未満であることが検出されたとき、第２のメッセージを前記端末に送信するステップであって、前記第２のメッセージは取消命令を運搬し、前記取消命令は、前記指定サービスの前記専用リソース上の割当て命令を取り消すように前記端末に指示するために使用されるステップ
をさらに含む、請求項１乃至１１の何れか１項に記載のリソース割当て方法。
【請求項１３】
ネットワーク側により送信された第１のメッセージを受信するステップであって、前記第１のメッセージは指定サービスの専用リソースを運搬し、前記専用リソースは、端末で前記指定サービスが開始されたとき選択され占有されるリソースであるステップと、
前記端末上の前記指定サービスのリソース割当てが前記専用リソースに従って決定されるように、前記専用リソースを前記第１のメッセージから取得し、前記専用リソースを格納するステップと、
を含む、リソース割当て方法。
【請求項１４】
前記端末上の前記指定サービスのリソース割当てが前記専用リソースに従って決定されることは、
前記指定サービスに関するアクセス開始命令が受信されたとき、リソースが前記専用リソースから選択され占有されるように、前記専用リソースを起動状態に設定するステップ
を含む、請求項１３に記載のリソース割当て方法。
【請求項１５】
前記第１のメッセージはページング・メッセージまたはブロードキャスト・メッセージである、請求項１４に記載のリソース割当て方法。
【請求項１６】
前記第１のメッセージが第１のブロードキャスト・メッセージであるとき、前記専用リソースを起動状態に設定した後、
修正指示を運搬し前記ネットワーク側により送信された第１のページング・メッセージが受信されたとき、第２のブロードキャスト・メッセージを取得するステップであって、前記第２のブロードキャスト・メッセージは第２の指定サービスの専用リソースを運搬するステップと、
前記第２の指定サービスの前記専用リソースを前記第２のブロードキャスト・メッセージから取得し、前記第２の指定サービスの前記専用リソースを格納するステップと、
前記指定サービスの前記専用リソースを停止状態に設定し、前記第２の指定サービスの前記専用リソースを起動状態に設定するステップと、
をさらに含む、請求項１５に記載のリソース割当て方法。
【請求項１７】
前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、前記専用リソースを前記第１のメッセージを取得し、前記専用リソースを格納した後に、
第１の識別子を運搬し前記ネットワーク側により送信された第２のページング・メッセージが受信されたとき、前記第１の識別子に対応する専用リソースを検索するステップと、
前記第１の識別子に対応する指定サービスに関するアクセス開始命令が受信されたとき、リソースは前記専用リソースから選択され占有されるように、前記専用リソースを起動状態に設定するステップと、
をさらに含む、請求項１３に記載のリソース割当て方法。
【請求項１８】
前記専用リソースを前記第１のメッセージを取得し、前記専用リソースを格納した後に、
前記指定サービスに関するアクセス開始命令が受信されたとき、リソースは前記専用リソースから選択され占有されるように、指定サービス警告指示を運搬し前記ネットワーク側により送信された第３のページング・メッセージが受信されたとき、前記専用リソースを起動状態に設定するステップ
をさらに含む、請求項１３に記載のリソース割当て方法。
【請求項１９】
前記専用リソースを起動状態に設定するステップは、
事前設定有効時間に従って前記専用リソースを前記起動状態に設定するステップであって、前記事前設定有効時間は前記専用リソースがアクティブである期間であるステップ
を含む、請求項１４乃至１８の何れか１項に記載のリソース割当て方法。
【請求項２０】
前記事前設定有効時間が前記端末で事前設定されたタイマの設定時刻であるとき、事前設定有効時間に従って前記専用リソースを前記起動状態に設定するステップは、
前記タイマを開始し、前記専用リソースを起動するステップと、
前記タイマによる計時のプロセスにおいて、指定サービス警告指示を運搬し前記ネットワーク側により送信された第４のページング・メッセージが受信されたとき、前記タイマを再開するステップであって、前記専用リソースの動作状態は前記起動状態であるステップ
を含む、請求項１９に記載のリソース割当て方法。
【請求項２１】
事前設定有効時間に従って前記専用リソースを前記起動状態に設定する前に、
指定サービス警告情報を運搬し前記ネットワーク側により送信される第４のブロードキャスト・メッセージを受信し、前記指定サービス警告情報を取得するステップ
をさらに含む、請求項１９に記載のリソース割当て方法。
【請求項２２】
前記第４のブロードキャスト・メッセージがリソース有効時間をさらに運搬し、前記リソース有効時間が前記専用リソースがアクティブである期間であるとき、
前記リソース有効時間を前記第４のブロードキャスト・メッセージから取得し、前記リソース有効時間を格納し、前記リソース有効時間を前記事前設定有効時間として使用するステップ
をさらに含む、請求項２１に記載のリソース割当て方法。
【請求項２３】
前記第１のメッセージはリソース有効時間をさらに運搬し、前記リソース有効時間は前記専用リソースがアクティブである期間であり、
前記リソース有効時間を前記第１のメッセージから取得し、前記リソース有効時間を格納し、前記リソース有効時間を前記事前設定有効時間として使用するステップ
をさらに含む、請求項１９に記載のリソース割当て方法。
【請求項２４】
サービスの開始命令が受信されたとき、前記サービスが指定サービスかどうかを判定するステップと、
前記サービスが前記指定サービスであり、前記専用リソースの前記動作状態が前記起動状態であるとき、前記専用リソースから、前記サービスにより占有されるリソースを選択するステップ、
または、
前記サービスが非指定サービスであり、前記専用リソースの前記動作状態が前記起動状態であるとき、別のリソースから、前記サービスにより占有されるリソースを選択するステップであって、前記別のリソースは前記専用リソースを含まないステップと、
前記事前設定有効時間が切れたとき、前記専用リソースを前記停止状態に設定するステップと、
をさらに含む、請求項１９乃至２３の何れか１項に記載のリソース割当て方法。
【請求項２５】
前記ネットワーク側により送信された第２のメッセージを受信するステップであって、前記第２のメッセージは取消命令を運搬し、前記取消命令は、前記指定サービスの前記専用リソース上の割当て命令を取り消すように前記端末に指示するために使用されるステップと、
前記取消命令を前記第２のメッセージから取得し、前記専用リソースを解放するステップと、
をさらに含む、請求項１３乃至２４の何れか１項に記載のリソース割当て方法。
【請求項２６】
ネットワーク上のリソース占有が第１の閾値を越えることが検出されたとき、第１のメッセージを端末に送信するように構成された送信ユニットであって、前記端末が前記端末上の指定サービスのリソース割当てを専用リソースに従って決定するように、前記第１のメッセージは前記指定サービスの前記専用リソースを運搬し、前記専用リソースは、前記端末で前記指定サービスを開始したときに選択され占有されるリソースである、送信ユニット
を備える、ネットワーク装置。
【請求項２７】
前記送信ユニットにより送信された前記第１のメッセージはページング・メッセージまたはブロードキャスト・メッセージである、請求項２６に記載のネットワーク装置。
【請求項２８】
前記第１のメッセージが第１のブロードキャスト・メッセージであるとき、
前記送信ユニットはさらに、修正指示を運搬する第１のページング・メッセージを前記端末に送信するように構成され、第２のブロードキャスト・メッセージを前記端末に送信するようにさらに構成され、前記端末が前記指定サービスの前記専用リソースを停止状態に設定し、第２の指定サービスの前記専用リソースを起動状態に設定するように、前記第２のブロードキャスト・メッセージは前記第２の指定サービスの専用リソースを運搬する、
請求項２７に記載のネットワーク装置。
【請求項２９】
前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、
前記送信ユニットはさらに、前記端末が対応する専用リソースを前記第１の識別子に従って発見し、前記専用リソースを起動状態に設定し、前記端末が前記第１の識別子に対応する指定サービスに関するアクセス開始命令を受信したとき、リソースを前記専用リソースから選択し前記リソースを占有するように、第１の識別子を運搬する第２のページング・メッセージを前記端末に送信するように構成された、
請求項２６に記載のネットワーク装置。
【請求項３０】
前記送信ユニットはさらに、前記端末が前記専用リソースを起動状態に設定し、前記端末が前記指定サービスに関するアクセス開始命令を受信したとき、リソースを前記専用リソースから選択し、前記リソースを占有するように、指定サービス警告指示を運搬する第３のページング・メッセージを前記端末に送信するように構成された、請求項２６に記載のネットワーク装置。
【請求項３１】
前記送信ユニットはさらに、前記端末が前記タイマを再開するように、指定サービス警告指示を運搬する第４のページング・メッセージを前記端末に送信するように構成された、請求項２６乃至３０の何れか１項に記載のネットワーク装置。
【請求項３２】
前記送信ユニットはさらに、前記端末が前記指定サービス警告情報を取得するように、指定サービス警告情報を運搬する第４のブロードキャスト・メッセージを前記端末に送信するように構成された、請求項２６乃至３０の何れか１項に記載のネットワーク装置。
【請求項３３】
前記端末が前記リソース有効時間を取得し格納し、前記リソース有効時間を前記事前設定有効時間として使用するように、前記送信ユニットにより送信された前記第４のブロードキャスト・メッセージはさらにリソース有効時間を運搬し、前記リソース有効時間は前記専用リソースがアクティブである期間である、請求項３２に記載のネットワーク装置。
【請求項３４】
前記端末が前記リソース有効時間を取得し格納し、前記リソース有効時間を前記事前設定有効時間として使用するように、前記送信ユニットにより送信された前記第１のメッセージはさらにリソース有効時間を含み、前記リソース有効時間は前記専用リソースがアクティブである期間である、請求項２６乃至３０の何れか１項に記載のネットワーク装置。
【請求項３５】
前記送信ユニットはさらに、前記ネットワーク上のリソース占有が第２の閾値未満であることが検出されたとき、第２のメッセージを前記端末に送信するように構成され、前記第２のメッセージは取消命令を運搬し、前記取消命令は、前記指定サービスの前記専用リソース上の割当て命令を取り消すように前記端末に指示するために使用される、請求項２６乃至３４の何れか１項に記載のネットワーク装置。
【請求項３６】
端末であって、
ネットワーク側により送信された第１のメッセージを受信するように構成された受信ユニットであって、前記第１のメッセージは指定サービスの専用リソースを運搬し、前記専用リソースは、端末で前記指定サービスが開始されたとき選択され占有されるリソースである受信ユニットと、
前記端末上の前記指定サービスのリソース割当てが前記専用リソースに従って決定されるように、前記専用リソースを前記受信ユニットにより受信された前記第１のメッセージから取得し、前記専用リソースを格納するように構成された処理ユニットと、
を備える、端末。
【請求項３７】
前記処理ユニットは、前記指定サービスに関するアクセス開始命令が受信されたとき、リソースが前記専用リソースから選択され占有されるように、前記専用リソースを起動状態に設定するように構成された、請求項３６に記載の端末。
【請求項３８】
前記受信ユニットにより受信された前記第１のメッセージはページング・メッセージまたはブロードキャスト・メッセージである、請求項３７に記載の端末。
【請求項３９】
前記受信ユニットにより受信された前記第１のメッセージが第１のブロードキャスト・メッセージであるとき、
前記処理ユニットはさらに、修正指示を運搬し前記ネットワーク側により送信された第１のページング・メッセージを前記受信ユニットが受信したとき、第２のブロードキャスト・メッセージを取得するように構成され、前記第２のブロードキャスト・メッセージは第２の指定サービスの専用リソースを運搬し、
前記端末はさらに、
前記第２の指定サービスの前記専用リソースを前記第２のブロードキャスト・メッセージから取得し、前記第２の指定サービスの前記専用リソースを格納するように構成された取得ユニット
を備え、
前記処理ユニットはさらに、前記指定サービスの前記専用リソースを停止状態に設定し、前記第２の指定サービスの前記専用リソースを起動状態に設定するように構成された、
請求項３８に記載の端末。
【請求項４０】
前記受信ユニットにより受信された前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、前記端末は、
前記受信ユニットが、第１の識別子を運搬し前記ネットワーク側により送信された第２のページング・メッセージを受信したとき、前記第１の識別子に対応する専用リソースを検索するように構成された検索ユニット
をさらに備え、
前記処理ユニットはさらに、前記第１の識別子に対応する指定サービスに関するアクセス開始命令が受信されたとき、リソースは前記専用リソースから選択され占有されるように、前記専用リソースを起動状態に設定するように構成された、
請求項３６に記載の端末。
【請求項４１】
前記処理ユニットはさらに、前記指定サービスに関するアクセス開始命令が受信されたとき、リソースは前記専用リソースから選択され占有されるように、前記受信ユニットが、指定サービス警告指示を運搬し前記ネットワーク側により送信された第３のページング・メッセージを受信したとき、前記専用リソースを起動状態に設定するように構成された、請求項３６に記載の端末。
【請求項４２】
前記処理ユニットはさらに、事前設定有効時間に従って前記専用リソースを前記起動状態に設定するように構成され、前記事前設定有効時間は前記専用リソースがアクティブである期間である、請求項３７乃至４１の何れか１項に記載の端末。
【請求項４３】
前記事前設定有効時間が前記端末で事前設定されたタイマの設定時刻であるとき、
前記処理ユニットはさらに、前記タイマを開始し、前記専用リソースを起動するように構成され、さらに、前記タイマによる計時のプロセスにおいて、前記受信ユニットが、指定サービス警告指示を運搬し前記ネットワーク側により送信された第４のページング・メッセージを受信したとき、前記タイマを再開するように構成され、前記専用リソースの動作状態は前記起動状態である、
請求項４２に記載の端末。
【請求項４４】
前記受信ユニットはさらに、前記事前設定有効時間に従って、前記処理ユニットが前記指定サービスの前記専用リソースを前記起動状態に設定する前に、指定サービス警告情報を運搬し前記ネットワーク側により送信される第４のブロードキャスト・メッセージを受信し、前記指定サービス警告情報を取得するように構成された、請求項４２に記載の端末。
【請求項４５】
前記受信ユニットにより受信された前記第４のブロードキャスト・メッセージがさらにリソース有効時間を運搬し、前記リソース有効時間が前記専用リソースがアクティブである期間であるとき、
前記処理ユニットはさらに、前記リソース有効時間を前記第４のブロードキャスト・メッセージから取得し、前記リソース有効時間を格納し、前記リソース有効時間を前記事前設定有効時間として使用するように構成された、
請求項４４に記載の端末。
【請求項４６】
前記受信ユニットにより受信された前記第１のメッセージがさらにリソース有効時間を運搬し、前記リソース有効時間が前記専用リソースがアクティブである期間であるとき、
前記処理ユニットはさらに、前記リソース有効時間を前記第１のメッセージから取得し、前記リソース有効時間を格納し、前記リソース有効時間を前記事前設定有効時間として使用するように構成された、
請求項４２に記載の端末。
【請求項４７】
前記端末は、
前記受信ユニットがサービスの開始命令を受信したとき、前記サービスが指定サービスかどうかを判定するように構成された決定ユニットをさらに備え、
前記処理ユニットはさらに、前記サービスが前記指定サービスであり、前記専用リソースの前記動作状態が前記起動状態であると前記決定ユニットが判定したとき、前記専用リソースから、前記サービスにより占有されるリソースを選択するように構成されるか、または、
前記処理ユニットはさらに、前記サービスが非指定サービスであり、前記専用リソースの前記動作状態が前記起動状態であると前記決定ユニットが判定したとき、別の専用リソースから、前記サービスにより占有されるリソースを選択するように構成され、前記別のリソースは前記専用リソースを含まず、
前記処理ユニットはさらに、前記事前設定有効時間が切れたとき、前記専用リソースを前記停止状態に設定するように構成された、
請求項４２乃至４６の何れか１項に記載の端末。
【請求項４８】
前記受信ユニットはさらに、前記ネットワーク側により送信された第２のメッセージを受信するように構成され、前記第２のメッセージは取消命令を運搬し、前記取消命令は、前記指定サービスの前記専用リソース上の割当て命令を取り消すように前記端末に指示するために使用され、
前記処理ユニットはさらに、前記取消命令を前記第２のメッセージから取得し、前記専用リソースを解放するように構成された、
請求項３６乃至４７の何れか１項に記載の端末。
【請求項４９】
ソフトウェア・プログラムとデータを格納するように構成されたメモリと、
メッセージを端末に送信するように構成された無線通信モジュールと、
特に以下を実行するために前記メモリ内の前記ソフトウェア・プログラムを実行するように構成されたプロセッサと、
ネットワーク上のリソース占有が第１の閾値を越えることが検出されたとき、前記無線通信モジュールを用いることによって、第１のメッセージを前記端末に送信するステップであって、前記端末が前記端末上の前記指定サービスのリソース割当てを前記専用リソースに従って決定するように、前記第１のメッセージは指定サービスの専用リソースを運搬し、前記専用リソースは、前記端末で前記指定サービスを開始したときに選択され占有されるリソースであるステップと、
を備えた、ネットワーク装置。
【請求項５０】
前記無線通信モジュールにより前記端末に送信された前記第１のメッセージはページング・メッセージまたはブロードキャスト・メッセージである、請求項４９に記載のネットワーク装置。
【請求項５１】
前記第１のメッセージが第１のブロードキャスト・メッセージであるとき、第１のメッセージを前記端末に送信した後、前記プロセッサはさらに、
前記無線通信モジュールを用いることによって、修正指示を運搬する第１のページング・メッセージを前記端末に送信するステップと、
前記無線通信モジュールを用いることによって、第２のブロードキャスト・メッセージを前記端末に送信するステップであって、前記端末が前記指定サービスの前記専用リソースを停止状態に設定し、前記第２の指定サービスの前記専用リソースを起動状態に設定するように、前記第２のブロードキャスト・メッセージは第２の指定サービスの専用リソースを運搬するステップと、
を実行するように構成された、請求項５０に記載のネットワーク装置。
【請求項５２】
前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、第１のメッセージを前記端末に送信した後、前記プロセッサはさらに、
前記端末が対応する専用リソースを前記第１の識別子に従って発見し、前記専用リソースを起動状態に設定し、前記端末が前記第１の識別子に対応する指定サービスに関するアクセス開始命令を受信したとき、リソースを前記専用リソースから選択し前記リソースを占有するように、前記無線通信モジュールを用いることによって、第１の識別子を運搬する第２のページング・メッセージを前記端末に送信するステップ
を実行するように構成された、請求項４９に記載のネットワーク装置。
【請求項５３】
第１のメッセージを前記端末に送信した後、前記プロセッサはさらに、
前記端末が前記専用リソースを起動状態に設定し、前記端末が前記指定サービスに関するアクセス開始命令を受信したとき、リソースを前記専用リソースから選択し、前記リソースを占有するように、前記無線通信モジュールを用いることによって、指定サービス警告指示を運搬する第３のページング・メッセージを前記端末に送信するステップ
を実行するように構成された、請求項４９に記載のネットワーク装置。
【請求項５４】
前記事前設定有効時間が前記端末で事前設定されたタイマの設定時刻であるとき、第１のメッセージを前記端末に送信した後、前記プロセッサはさらに、
前記端末が前記タイマを再開するように、前記無線通信モジュールを用いることによって、指定サービス警告指示を運搬する第４のページング・メッセージを前記端末に送信するステップ
を実行するように構成された、請求項５０乃至５３の何れか１項に記載のネットワーク装置。
【請求項５５】
第１のメッセージを前記端末に送信した後、前記プロセッサはさらに、
前記端末が前記指定サービス警告情報を取得するように、前記無線通信モジュールを用いることによって、指定サービス警告情報を運搬する第４のブロードキャスト・メッセージを前記端末に送信するステップ
を実行するように構成された、請求項５０乃至５３の何れか１項に記載のネットワーク装置。
【請求項５６】
前記無線通信モジュールにより前記端末に送信された前記第４のブロードキャスト・メッセージはさらに、前記端末が前記リソース有効時間を取得し格納し、前記リソース有効時間を前記事前設定有効時間として使用するように、リソース有効時間を運搬し、前記リソース有効時間は前記専用リソースがアクティブである期間である、請求項５５に記載のネットワーク装置。
【請求項５７】
前記端末が前記リソース有効時間を取得し格納し、前記リソース有効時間を前記事前設定有効時間として使用するように、前記無線通信モジュールにより前記端末に送信された前記第１のメッセージはさらにリソース有効時間を含み、前記リソース有効時間は前記専用リソースがアクティブである期間である、請求項５０乃至５３
の何れか１項に記載のネットワーク装置。
【請求項５８】
前記プロセッサはさらに、
前記ネットワーク上のリソース占有が第２の閾値未満であることが検出されたとき、前記無線通信モジュールを用いることで第２のメッセージを前記端末に送信するステップであって、前記第２のメッセージは取消命令を運搬し、前記取消命令は、前記指定サービスの前記専用リソース上の割当て命令を取り消すように前記端末に指示するために使用されるステップ
を実行するように構成された、請求項４９乃至５７の何れか１項に記載のネットワーク装置。
【請求項５９】
ソフトウェア・プログラムとデータを格納するように構成されたメモリと、
メッセージを受信し、ネットワーク側により送信されたメッセージを処理のためにプロセッサに提供するように構成された無線通信モジュールと、
前記ネットワーク側、により送信された第１のメッセージを受信するステップであって、前記第１のメッセージは指定サービスの専用リソースを運搬し、前記専用リソースは、前記端末で前記指定サービスを開始したときに選択され占有されるリソースであるステップと、
記端末上の前記指定サービスのリソース割当てが前記専用リソースに従って決定されるように、前記専用リソースを前記第１のメッセージから取得し、前記専用リソースを格納するステップと、
を特に実行するために前記メモリ内の前記ソフトウェア・プログラムを実行するように構成された前記プロセッサと、
を備えた、端末。
【請求項６０】
前記プロセッサはさらに、
前記指定サービスに関するアクセス開始命令が受信されたとき、リソースは前記専用リソースから選択され占有されるように、前記専用リソースを起動状態に設定するステップ
を実行するように構成された、請求項５９に記載の端末。
【請求項６１】
前記無線通信モジュールにより受信された前記第１のメッセージはページング・メッセージまたはブロードキャスト・メッセージである、請求項６０に記載の端末。
【請求項６２】
前記第１のメッセージが第１のブロードキャスト・メッセージであるとき、
前記プロセッサはさらに、
修正指示を運搬し前記ネットワーク側により送信された第１のページング・メッセージが受信されたとき、第２のブロードキャスト・メッセージを取得するステップであって、前記第２のブロードキャスト・メッセージは第２の指定サービスの専用リソースを運搬するステップと、
前記第２の指定サービスの前記専用リソースを前記第２のブロードキャスト・メッセージから取得し、前記第２の指定サービスの前記専用リソースを格納するステップと、
前記指定サービスの前記専用リソースを停止状態に設定し、前記第２の指定サービスの前記専用リソースを起動状態に設定するステップと、
を実行するように構成された、請求項６１に記載の端末。
【請求項６３】
前記第１のメッセージが第３のブロードキャスト・メッセージであり、前記第３のブロードキャスト・メッセージで運搬される専用リソースが指定サービスに対する専用リソース構成リストであり、指定サービスに対する前記専用リソース構成リストが指定サービスに対応する識別子および前記指定サービスに対応する専用リソースを含むとき、
前記プロセッサはさらに、
第１の識別子を運搬し前記ネットワーク側により送信された第２のページング・メッセージが受信されたとき、前記第１の識別子に対応する専用リソースを検索するステップと、
前記第１の識別子に対応する指定サービスに関するアクセス開始命令が受信されたとき、リソースは前記専用リソースから選択され占有されるように、前記専用リソースを起動状態に設定するステップと、
を実行するように構成された、請求項５９に記載の端末。
【請求項６４】
前記プロセッサはさらに、
前記指定サービスに関するアクセス開始命令が受信されたとき、リソースは前記専用リソースから選択され占有されるように、指定サービス警告指示を運搬し前記ネットワーク側により送信された第３のページング・メッセージが受信されたとき、前記専用リソースを起動状態に設定するステップ
を実行するように構成された、請求項５９に記載の端末
【請求項６５】
前記プロセッサはさらに、
事前設定有効時間に従って前記専用リソースを前記起動状態に設定するステップ、であって、前記事前設定有効時間は前記専用リソースがアクティブである期間であるステップ
以下を実行するように構成された、請求項６０乃至６４の何れか１項に記載の端末。
【請求項６６】
前記事前設定有効時間が前記端末で事前設定されたタイマの設定時刻であるとき、
前記プロセッサはさらに、
前記タイマを開始し、前記専用リソースを起動するステップと、
前記タイマによる計時のプロセスにおいて、指定サービス警告指示を運搬し前記ネットワーク側により送信された第４のページング・メッセージが受信されたとき、前記タイマを再開するステップであって、前記専用リソースの動作状態は前記起動状態であるステップと、
を実行するように構成された、請求項６５に記載の端末。
【請求項６７】
事前設定有効時間に従って前記専用リソースを前記起動状態に設定する前に、
前記プロセッサはさらに、
指定サービス警告情報を運搬し前記ネットワーク側により送信される第４のブロードキャスト・メッセージを受信し、前記指定サービス警告情報を取得するステップ
を実行するように構成された、請求項６５に記載の端末。
【請求項６８】
前記第４のブロードキャスト・メッセージがリソース有効時間をさらに運搬し、前記リソース有効時間が前記専用リソースがアクティブである期間であるとき、
前記プロセッサはさらに、
前記リソース有効時間を前記第４のブロードキャスト・メッセージから取得し、前記リソース有効時間を格納し、前記リソース有効時間を前記事前設定有効時間として使用するステップ
を実行するように構成された、請求項６７に記載の端末。
【請求項６９】
前記第１のメッセージはリソース有効時間をさらに運搬し、前記リソース有効時間が前記専用リソースがアクティブである期間であるとき、
前記プロセッサはさらに、
前記リソース有効時間を前記第１のメッセージから取得し、前記リソース有効時間を格納し、前記リソース有効時間を前記事前設定有効時間として使用するステップ
を実行するように構成された、請求項６５に記載の端末。
【請求項７０】
前記プロセッサはさらに、
サービスの開始命令が受信されたとき、前記サービスが指定サービスかどうかを判定するステップと、
前記サービスが前記指定サービスであり、前記専用リソースの前記動作状態が前記起動状態であるとき、前記専用リソースから、前記サービスにより占有されるリソースを選択するステップ、
または、
前記サービスが非指定サービスであり、前記専用リソースの前記動作状態が前記起動状態であるとき、別のリソースから、前記サービスにより占有されるリソースを選択するステップであって、前記別のリソースは前記専用リソースを含まないステップと、
前記事前設定有効時間が切れたとき、前記専用リソースを前記停止状態に設定するステップと、
を実行するように構成された、請求項６５乃至６９の何れか１項に記載の端末。
【請求項７１】
前記プロセッサはさらに、
前記ネットワーク側により送信された第２のメッセージを受信するステップであって、前記第２のメッセージは取消命令を運搬し、前記取消命令は、前記指定サービスの前記専用リソース上の割当て命令を取り消すように前記端末に指示するために使用されるステップと、
前記取消命令を前記第２のメッセージから取得し、前記専用リソースを解放するステップと、
を実行するように構成された、請求項５９乃至７０の何れか１項に記載の端末。 
【発明の詳細な説明】
【技術分野】
【０００１】
本発明は、通信技術の分野に関し、特に、リソース割当て方法および装置に関する。
【背景技術】
【０００２】
ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ、地震津波警告システム）は、地震および津波の情報を提供するためのシステムである。地震および津波の警告情報をブロードキャストする必要があるとき、ネットワーク側はＥＴＷＳ指示をページング・メッセージに追加して、当該ページング・メッセージをユーザの端末に送信し、当該ページング・メッセージ内のＥＴＷＳ指示を取得した後、ユーザ端末は、ネットワーク側により送信されたブロードキャスト・メッセージを読み取り、運搬されるＥＴＷＳ情報を当該ブロードキャスト・メッセージから取得する。ＥＴＷＳ情報を取得した後、ユーザ端末は、親戚もしくは友達への通話、ショート・メッセージ・サービスのメッセージの送信、またはマイクロブログの投稿のような、大量の音声サービスまたはデータ・サービスをトリガする。大量のアクセス・サービスにより、緊急の呼または高優先度の呼がアクセスを取得できないこととなりうる。
【０００３】
先行技術では、緊急サービスに独占されるアクセス・リソースは、ＥＴＷＳ情報が大量のアクセス・サービスを発生させたとき、ネットワークが、当該アクセス・リソースの判定に基づいて、専用アクセス・リソースを利用する緊急サービスのアクセスを優先的に許可できるように、当該緊急サービスに割り当てられる。しかし、緊急サービスに独占されるアクセス・リソースを当該緊急サービスに割り当てるプロセスにおいて、発明者は、ＥＴＷＳは偶発的事象にすぎず、専用アクセス・リソースを占有させ続けると当該ネットワークのリソース利用効率が低下することを発見した。
【発明の概要】
【課題を解決するための手段】
【０００４】
本発明の諸実施形態では、リソース利用効率を改善するリソース割当て方法および装置を提供する。
【０００５】
上述の目的を達成するために、本発明の当該実施形態では以下の技術的解決策を使用する。
【０００６】
第１の態様によれば、本発明は、ネットワーク上のリソース占有が第１の閾値を越えることが検出されたとき、第１のメッセージを端末に送信するステップであって、端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースであるステップを含む、リソース割当て方法を提供する。
【０００７】
第１の態様の第１の可能な実装方式では、端末が端末上の指定サービスのリソース割当てを専用リソースに従って決定することは、当該指定サービスに関するアクセス開始命令が受信されたとき、リソースが当該専用リソースから選択され占有されるように、当該専用リソースを起動状態に設定するステップを含む。
【０００８】
第１の態様の第１の可能な実装方式を参照して、第２の可能な実装方式では、第１のメッセージはページング・メッセージまたはブロードキャスト・メッセージである。
【０００９】
第１の態様の第２の可能な実装方式を参照して、第３の可能な実装方式では、第１のメッセージが第１のブロードキャスト・メッセージであるとき、第１のメッセージを端末に送信した後、当該方法はさらに、修正指示を運搬する第１のページング・メッセージを端末に送信するステップと、第２のブロードキャスト・メッセージを端末に送信するステップであって、端末が指定サービスの専用リソースを停止状態に設定し、第２の指定サービスの専用リソースを起動状態に設定するように、第２のブロードキャスト・メッセージは第２の指定サービスの専用リソースを運搬するステップとを含む。
【００１０】
第１の態様の第４の可能な実装方式では、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、第１のメッセージを端末に送信した後、当該方法はさらに、端末が対応する専用リソースを第１の識別子に従って発見し、当該専用リソースを起動状態に設定し、端末が第１の識別子に対応する指定サービスに関するアクセス開始命令を受信したとき、リソースを当該専用リソースから選択し当該リソースを占有するように、第１の識別子を運搬する第２のページング・メッセージを端末に送信するステップを含む。
【００１１】
第１の態様の第５の可能な実装方式では、第１のメッセージを端末に送信した後、当該方法はさらに、端末が専用リソースを起動状態に設定し、端末が指定サービスに関するアクセス開始命令を受信したとき、リソースを当該専用リソースから選択し当該リソースを占有するように、指定サービス警告指示を運搬する第３のページング・メッセージを端末に送信するステップを含む。
【００１２】
第１の態様の第１の可能な実装方式または第２の可能な実装方式または第３の可能な実装方式または第４の可能な実装方式を参照して、第６の可能な実装方式では、端末が専用リソースを起動状態に設定することは、端末により、事前設定有効時間に従って専用リソースを起動状態に設定するステップであって、当該事前設定有効時間は当該専用リソースがアクティブである期間であるステップを含む。
【００１３】
第１の態様の第６の可能な実装方式を参照して、第７の可能な実装方式では、当該事前設定有効時間が端末で事前設定されたタイマの設定時刻であるとき、第１のメッセージを端末に送信した後、当該方法はさらに、端末がタイマを再開するように、指定サービス警告指示を運搬する第４のページング・メッセージを端末に送信するステップを含む。
【００１４】
第１の態様の第６の可能な実装方式を参照して、第８の可能な実装方式では、第１のメッセージを端末に送信した後、当該方法はさらに、端末が指定サービス警告情報を取得するように、指定サービス警告情報を運搬する第４のブロードキャスト・メッセージを端末に送信するステップを含む。
【００１５】
第１の態様の第８の可能な実装方式を参照して、第９の可能な実装方式では、端末がリソース有効時間を取得し格納し、当該リソース有効時間を事前設定有効時間として使用するように、第４のブロードキャスト・メッセージは当該リソース有効時間をさらに運搬し、当該リソース有効時間は専用リソースがアクティブである期間である。
【００１６】
第１の態様の第６の可能な実装方式を参照して、第１０の可能な実装方式では、端末がリソース有効時間を取得し格納し、当該リソース有効時間を事前設定有効時間として使用するように、第１のメッセージは当該リソース有効時間をさらに運搬し、当該リソース有効時間が専用リソースがアクティブである期間である。
【００１７】
第１の態様または第１の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式または第９の可能な実装方式または第１０の可能な実装方式を参照して、第１１の可能な実装方式では、当該方法はさらに、ネットワーク上のリソース占有が第２の閾値未満であることが検出されたとき、第２のメッセージを端末に送信するステップであって、第２のメッセージは取消命令を運搬し、当該取消命令は、指定サービスの専用リソース上の割当て命令を取り消すように端末に指示するために使用されるステップを含む。
【００１８】
第２の態様によれば、本発明は、ネットワーク側により送信された第１のメッセージを受信するステップであって、第１のメッセージは指定サービスの専用リソースを運搬し、当該専用リソースは、端末上の指定サービスが開始されたとき選択され占有されるリソースであるステップと、端末上の当該指定サービスのリソース割当てが当該専用リソースに従って決定されるように、当該専用リソースを第１のメッセージから取得し、当該専用リソースを格納するステップとを含む、リソース割当て方法を提供する。
【００１９】
第２の態様の第１の可能な実装方式では、端末上の指定サービスのリソース割当てが専用リソースに従って決定されることは、当該指定サービスに関するアクセス開始命令が受信されたとき、リソースが当該専用リソースから選択され占有されるように、当該専用リソースを起動状態に設定するステップを含む。
【００２０】
第２の態様の第１の可能な実装方式を参照して、第２の可能な実装方式では、第１のメッセージはページング・メッセージまたはブロードキャスト・メッセージである。
【００２１】
第２の態様の第２の可能な実装方式を参照して、第３の可能な実装方式では、第１のメッセージが第１のブロードキャスト・メッセージであるとき、専用リソースを起動状態に設定した後、当該方法はさらに、修正指示を運搬しネットワーク側により送信された第１のページング・メッセージが受信されたとき、第２のブロードキャスト・メッセージを取得するステップであって、第２のブロードキャスト・メッセージは第２の指定サービスの専用リソースを運搬するステップと、第２の指定サービスの専用リソースを第２のブロードキャスト・メッセージから取得し、第２の指定サービスの専用リソースを格納するステップと、当該指定サービスの専用リソースを停止状態に設定し、第２の指定サービスの専用リソースを起動状態に設定するステップとを含む。
【００２２】
第２の態様の第４の可能な実装方式では、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、当該専用リソースを第１のメッセージから取得し、当該専用リソースを格納した後に、当該方法はさらに、第１の識別子を運搬しネットワーク側により送信された第２のページング・メッセージが受信されたとき、第１の識別子に対応する専用リソースを検索するステップと、第１の識別子に対応する指定サービスに関するアクセス開始命令が受信されたとき、リソースが当該専用リソースから選択され占有されるように、当該専用リソースを起動状態に設定するステップとを含む。
【００２３】
第２の態様の第５の可能な実装方式では、専用リソースを第１のメッセージから取得し、当該専用リソースを格納した後に、当該方法はさらに、指定サービス警告指示を運搬しネットワーク側により送信された第３のページング・メッセージが受信されたとき、当該指定サービスに関するアクセス開始命令が受信されたときに、リソースが当該専用リソースから選択され占有されるように、当該専用リソースを起動状態に設定するステップを含む。
【００２４】
第２の態様の第１の可能な実装方式または第２の可能な実装方式または第３の可能な実装方式または第４の可能な実装方式または第５の可能な実装方式を参照して、第６の可能な実装方式では、専用リソースを起動状態に設定するステップは、事前設定有効時間に従って当該専用リソースを起動状態に設定するステップであって、当該事前設定有効時間は当該専用リソースがアクティブである期間であるステップを含む。
【００２５】
第２の態様の第６の可能な実装方式を参照して、第７の可能な実装方式では、事前設定有効時間が端末で事前設定されたタイマの設定時刻であるとき、事前設定有効時間に従って専用リソースを起動状態に設定するステップは、タイマを開始し、当該専用リソースを起動するステップと、タイマによる計時のプロセスにおいて、指定サービス警告指示を運搬しネットワーク側により送信された第４のページング・メッセージが受信されたとき、タイマを再開するステップであって、当該専用リソースの動作状態は起動状態であるステップとを含む。
【００２６】
第２の態様の第６の可能な実装方式を参照して、第８の可能な実装方式では、事前設定有効時間に従って専用リソースを起動状態に設定する前に、当該方法はさらに、指定サービス警告情報を運搬しネットワーク側により送信される第４のブロードキャスト・メッセージを受信し、当該指定サービス警告情報を取得するステップを含む。
【００２７】
第２の態様の第８の可能な実装方式を参照して、第９の可能な実装方式では、第４のブロードキャスト・メッセージがリソース有効時間をさらに運搬し、当該リソース有効時間が専用リソースがアクティブである期間であるとき、当該方法はさらに、当該リソース有効時間を第４のブロードキャスト・メッセージから取得し、当該リソース有効時間を格納し、当該リソース有効時間を事前設定有効時間として使用するステップを含む。
【００２８】
第２の態様の第６の可能な実装方式を参照して、第１０の可能な実装方式では、第１のメッセージはリソース有効時間をさらに運搬し、当該リソース有効時間は専用リソースがアクティブである期間であり、当該方法はさらに、当該リソース有効時間を第１のメッセージから取得し、当該リソース有効時間を格納し、当該リソース有効時間を事前設定有効時間として使用するステップを含む。
【００２９】
第２の態様の第６の可能な実装方式または第７の可能な実装方式または第８の可能な実装方式または第９の可能な実装方式または第１０の可能な実装方式を参照して、第１１の可能な実装方式では、当該方法はさらに、サービスの開始命令が受信されたとき、当該サービスが指定サービスかどうかを判定するステップと、当該サービスが指定サービスであり、専用リソースの動作状態が起動状態であるとき、当該専用リソースから、当該サービスにより占有されるリソースを選択するステップ、または、当該サービスが非指定サービスであり、当該専用リソースの動作状態が起動状態であるとき、別のリソースから、当該サービスにより占有されるリソースを選択するステップであって、当該別のリソースは専用リソースを含まないステップと、事前設定有効時間が切れたとき、当該専用リソースを停止状態に設定するステップとを含む。
【００３０】
第２の態様または第２の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式または第９の可能な実装方式または第１０の可能な実装方式または第１１の可能な実装方式を参照して、第１２の可能な実装方式では、当該方法はさらに、ネットワーク側により送信された第２のメッセージを受信するステップであって、第２のメッセージは取消命令を運搬し、当該取消命令は、指定サービスの専用リソース上の割当て命令を取り消すように端末に指示するために使用されるステップと、当該取消命令を第２のメッセージから取得し、当該専用リソースを解放するステップとを含む。
【００３１】
第３の態様によれば、本発明は、ネットワーク上のリソース占有が第１の閾値を越えることが検出されたとき、第１のメッセージを端末に送信するように構成された送信ユニットであって、端末が端末上の当該指定サービスのリソース割当てを専用リソースに従って決定するように、第１のメッセージは指定サービスの専用リソースを運搬し、当該専用リソースは、端末で当該指定サービスを開始したときに選択され占有されるリソースである送信ユニットを備えたネットワーク装置を提供する。
【００３２】
第３の態様の第１の可能な実装方式では、当該送信ユニットにより送信された第１のメッセージはページング・メッセージまたはブロードキャスト・メッセージである。
【００３３】
第３の態様の第１の可能な実装方式を参照して、第２の可能な実装方式では、第１のメッセージが第１のブロードキャスト・メッセージであるとき、当該送信ユニットはさらに、修正指示を運搬する第１のページング・メッセージを端末に送信するように構成され、第２のブロードキャスト・メッセージを端末に送信するようにさらに構成される。端末が指定サービスの専用リソースを停止状態に設定し、第２の指定サービスの専用リソースを起動状態に設定するように、第２のブロードキャスト・メッセージは第２の指定サービスの専用リソースを運搬する。
【００３４】
第３の態様の第３の可能な実装方式では、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、当該送信ユニットはさらに、端末が対応する専用リソースを第１の識別子に従って発見し、当該専用リソースを起動状態に設定し、端末が第１の識別子に対応する指定サービスに関するアクセス開始命令を受信したとき、リソースを当該専用リソースから選択し当該リソースを占有するように、第１の識別子を運搬する第２のページング・メッセージを端末に送信するように構成される。
【００３５】
第３の態様の第４の可能な実装方式では、当該送信ユニットはさらに、端末が専用リソースを起動状態に設定し、端末が指定サービスに関するアクセス開始命令を受信したとき、リソースを当該専用リソースから選択し当該リソースを占有するように、指定サービス警告指示を運搬する第３のページング・メッセージを端末に送信するように構成される。
【００３６】
第３の態様または第３の態様の第１の可能な実装方式または第２の可能な実装方式または第３の可能な実装方式または第４の可能な実装方式を参照して、第５の可能な実装方式では、当該送信ユニットはさらに、端末がタイマを再開するように、指定サービス警告指示を運搬する第４のページング・メッセージを端末に送信するように構成される。
【００３７】
第３の態様または第３の態様の第１の可能な実装方式または第２の可能な実装方式または第３の可能な実装方式または第４の可能な実装方式を参照して、第６の可能な実装方式では、当該送信ユニットはさらに、端末が指定サービス警告情報を取得するように、指定サービス警告情報を運搬する第４のブロードキャスト・メッセージを端末に送信するように構成される。
【００３８】
第３の態様の第６の可能な実装方式を参照して、第７の可能な実装方式では、端末がリソース有効時間を取得し格納し、当該リソース有効時間を事前設定有効時間として使用するように、当該送信ユニットにより送信された第４のブロードキャスト・メッセージはさらに当該リソース有効時間を運搬し、当該リソース有効時間は専用リソースがアクティブである期間である。
【００３９】
第３の態様または第３の態様の第１の可能な実装方式または第２の可能な実装方式または第３の可能な実装方式または第４の可能な実装方式を参照して、第８の可能な実装方式では、端末がリソース有効時間を取得し格納し、当該リソース有効時間を事前設定有効時間として使用するように、当該送信ユニットにより送信された第１のメッセージはさらにリソース有効時間を含み、当該リソース有効時間は専用リソースがアクティブである期間である。
【００４０】
第３の態様または第３の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式を参照して、第９の可能な実装方式では、当該送信ユニットはさらに、ネットワーク上のリソース占有が第２の閾値未満であることが検出されたとき、第２のメッセージを端末に送信するように構成され、第２のメッセージは取消命令を運搬し、当該取消命令は、当該指定サービスの専用リソース上の割当て命令を取り消すように端末に指示するために使用される。
【００４１】
第４の態様によれば、本発明は、ネットワーク側により送信された第１のメッセージを受信するように構成された受信ユニットであって、第１のメッセージは指定サービスの専用リソースを運搬し、当該専用リソースは、端末上の当該指定サービスが開始されたとき選択され占有されるリソースである受信ユニットと、端末上の当該指定サービスのリソース割当てが当該専用リソースに従って決定されるように、当該専用リソースを当該受信ユニットにより受信された第１のメッセージから取得し、当該専用リソースを格納するように構成された処理ユニットとを備えた端末を提供する。
【００４２】
第４の態様の第１の可能な実装方式では、当該処理ユニットは、当該指定サービスに関するアクセス開始命令が受信されたとき、リソースが専用リソースから選択され占有されるように、当該専用リソースを起動状態に設定するように構成される。
【００４３】
第４の態様の第１の可能な実装方式を参照して、第２の可能な実装方式では、当該受信ユニットにより受信された第１のメッセージはページング・メッセージまたはブロードキャスト・メッセージである。
【００４４】
第４の態様の第２の可能な実装方式を参照して、第３の可能な実装方式では、当該受信ユニットにより受信された第１のメッセージが第１のブロードキャスト・メッセージであるとき、当該処理ユニットはさらに、修正指示を運搬しネットワーク側により送信された第１のページング・メッセージを当該受信ユニットが受信したとき、第２のブロードキャスト・メッセージを取得するように構成され、第２のブロードキャスト・メッセージは第２の指定サービスの専用リソースを運搬し、端末はさらに、第２の指定サービスの専用リソースを第２のブロードキャスト・メッセージから取得し、第２の指定サービスの専用リソースを格納するように構成された取得ユニットを備え、当該処理ユニットはさらに、当該指定サービスの専用リソースを停止状態に設定し、第２の指定サービスの専用リソースを起動状態に設定するように構成される。
【００４５】
第４の態様の第４の可能な実装方式では、当該受信ユニットにより受信された第１のメッセージが第３のブロードキャスト・メッセージであり、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、端末はさらに、当該受信ユニットが、第１の識別子を運搬しネットワーク側により送信された第２のページング・メッセージを受信したとき、第１の識別子に対応する専用リソースを検索するように構成された検索ユニットを備え、当該処理ユニットはさらに、第１の識別子に対応する指定サービスに関するアクセス開始命令が受信されたとき、リソースが当該専用リソースから選択され占有されるように、当該専用リソースを起動状態に設定するように構成される。
【００４６】
第４の態様の第５の可能な実装方式では、当該処理ユニットはさらに、当該指定サービスに関するアクセス開始命令が受信されたとき、リソースが当該専用リソースから選択され占有されるように、当該受信ユニットが、指定サービス警告指示を運搬しネットワーク側により送信された第３のページング・メッセージを受信したとき、当該専用リソースを起動状態に設定するように構成される。
【００４７】
第４の態様の第１の可能な実装方式または第２の可能な実装方式または第３の可能な実装方式または第４の可能な実装方式または第５の可能な実装方式を参照して、第６の可能な実装方式では、当該処理ユニットはさらに、事前設定有効時間に従って専用リソースを起動状態に設定するように構成され、当該事前設定有効時間は当該専用リソースがアクティブである期間である。
【００４８】
第４の態様の第６の可能な実装方式を参照して、第７の可能な実装方式では、事前設定有効時間が端末で事前設定されたタイマの設定時刻であるとき、当該処理ユニットはさらに、タイマを開始し、専用リソースを起動するように構成され、さらに、タイマによる計時のプロセスにおいて、当該受信ユニットが、指定サービス警告指示を運搬しネットワーク側により送信された第４のページング・メッセージを受信したとき、タイマを再開するように構成される。当該専用リソースの動作状態は起動状態である。
【００４９】
第４の態様の第６の可能な実装方式を参照して、第８の可能な実装方式では、当該受信ユニットはさらに、事前設定有効時間に従って、当該処理ユニットが指定サービスの専用リソースを起動状態に設定する前に、指定サービス警告情報を運搬しネットワーク側により送信される第４のブロードキャスト・メッセージを受信し、当該指定サービス警告情報を取得するように構成される。
【００５０】
第４の態様の第８の可能な実装方式を参照して、第９の可能な実装方式では、当該受信ユニットにより受信された第４のブロードキャスト・メッセージがさらにリソース有効時間を運搬し、当該リソース有効時間が専用リソースがアクティブである期間であるとき、当該処理ユニットはさらに、当該リソース有効時間を第４のブロードキャスト・メッセージから取得し、当該リソース有効時間を格納し、当該リソース有効時間を事前設定有効時間として使用するように構成される。
【００５１】
第４の態様の第６の可能な実装方式を参照して、第１０の可能な実装方式では、当該受信ユニットにより受信された第１のメッセージがさらにリソース有効時間を運搬し、当該リソース有効時間が専用リソースがアクティブである期間であるとき、当該処理ユニットはさらに、当該リソース有効時間を第１のメッセージから取得し、当該リソース有効時間を格納し、当該リソース有効時間を事前設定有効時間として使用するように構成される。
【００５２】
第４の態様の第６の可能な実装方式または第７の可能な実装方式または第８の可能な実装方式または第９の可能な実装方式または第１０の可能な実装方式を参照して、第１１の可能な実装方式では、端末はさらに、当該受信ユニットがサービスの開始命令を受信したとき、当該サービスが指定サービスかどうかを判定するように構成された決定ユニットを備える。当該処理ユニットはさらに、当該サービスが指定サービスであり、当該専用リソースの動作状態が起動状態であると当該決定ユニットが判定したとき、当該専用リソースから、当該サービスにより占有されるリソースを選択するように構成されるか、または、当該処理ユニットはさらに、当該サービスが非指定サービスであり、当該専用リソースの動作状態が起動状態であると当該決定ユニットが判定したとき、別の専用リソースから、当該サービスにより占有されるリソースを選択するように構成され、当該別のリソースは専用リソースを含まない。当該処理ユニットはさらに、当該事前設定有効時間が切れたとき、当該専用リソースを停止状態に設定するように構成される。
【００５３】
第４の態様または第４の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式または第９の可能な実装方式または第１０の可能な実装方式または第１１の可能な実装方式を参照して、第１２の可能な実装方式では、当該受信ユニットはさらに、ネットワーク側により送信された第２のメッセージを受信するように構成され、第２のメッセージは取消命令を運搬し、当該取消命令は、指定サービスの専用リソース上の割当て命令を取り消すように端末に指示するために使用され、当該処理ユニットはさらに、当該取消命令を第２のメッセージから取得し、当該専用リソースを解放するように構成される。
【００５４】
第５の態様によれば、本発明は、ソフトウェア・プログラムとデータを格納するように構成されたメモリと、メッセージを端末に送信するように構成された無線通信モジュールと、ネットワーク上のリソース占有が第１の閾値を越えることが検出されたとき、当該無線通信モジュールを用いることによって、第１のメッセージを端末に送信するステップであって、端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースであるステップを特に実行するために当該メモリ内の当該ソフトウェア・プログラムを実行するように構成されたプロセッサとを備えたネットワーク装置を提供する。
【００５５】
第５の態様の第１の可能な実装方式では、当該無線通信モジュールにより端末に送信された第１のメッセージはページング・メッセージまたはブロードキャスト・メッセージである。
【００５６】
第５の態様の第１の可能な実装方式を参照して、第２の可能な実装方式では、第１のメッセージが第１のブロードキャスト・メッセージであるとき、第１のメッセージを端末に送信した後、当該プロセッサはさらに、当該無線通信モジュールを用いることによって、修正指示を運搬する第１のページング・メッセージを端末に送信するステップと、当該無線通信モジュールを用いることによって、第２のブロードキャスト・メッセージを端末に送信するステップであって、端末が指定サービスの専用リソースを停止状態に設定し、第２の指定サービスの専用リソースを起動状態に設定するように、第２のブロードキャスト・メッセージは第２の指定サービスの専用リソースを運搬するステップとを実行するように構成される。
【００５７】
第５の態様の第３の可能な実装方式では、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、第１のメッセージを端末に送信した後、当該プロセッサはさらに、端末が対応する専用リソースを第１の識別子に従って発見し、当該専用リソースを起動状態に設定し、端末が第１の識別子に対応する指定サービスに関するアクセス開始命令を受信したとき、リソースを当該専用リソースから選択し当該リソースを占有するように、当該無線通信モジュールを用いることによって、第１の識別子を運搬する第２のページング・メッセージを端末に送信するステップを実行するように構成される。
【００５８】
第５の態様の第４の可能な実装方式では、第１のメッセージを端末に送信した後、当該プロセッサはさらに、端末が専用リソースを起動状態に設定し、端末が指定サービスに関するアクセス開始命令を受信したとき、リソースを当該専用リソースから選択し当該リソースを占有するように、当該無線通信モジュールを用いることによって、指定サービス警告指示を運搬する第３のページング・メッセージを端末に送信するステップを実行するように構成される。
【００５９】
第５の態様の第１の可能な実装方式または第２の可能な実装方式または第３の可能な実装方式または第４の可能な実装方式を参照して、第５の可能な実装方式では、事前設定有効時間が端末で事前設定されたタイマの設定時刻であるとき、第１のメッセージを端末に送信した後、当該プロセッサはさらに、端末がタイマを再開するように、当該無線通信モジュールを用いることによって、指定サービス警告指示を運搬する第４のページング・メッセージを端末に送信するステップを実行するように構成される。
【００６０】
第５の態様の第１の可能な実装方式または第２の可能な実装方式または第３の可能な実装方式または第４の可能な実装方式を参照して、第６の可能な実装方式では、第１のメッセージを端末に送信した後、当該プロセッサはさらに、端末が指定サービス警告情報を取得するように、当該無線通信モジュールを用いることによって、指定サービス警告情報を運搬する第４のブロードキャスト・メッセージを端末に送信するステップを実行するように構成される。
【００６１】
第５の態様の第６の可能な実装方式を参照して、第７の可能な実装方式では、当該無線通信モジュールにより端末に送信された第４のブロードキャスト・メッセージはさらに、端末がリソース有効時間を取得し格納し、当該リソース有効時間を事前設定有効時間として使用するように、リソース有効時間を運搬し、当該リソース有効時間は専用リソースがアクティブである期間である。
【００６２】
第５の態様び第１の可能な実装方式または第２の可能な実装方式または第３の可能な実装方式または第４の可能な実装方式を参照して、第８の可能な実装方式では、端末がリソース有効時間を取得し格納し、当該リソース有効時間を事前設定有効時間として使用するように、当該無線通信モジュールにより端末に送信された第１のメッセージはさらにリソース有効時間を含み、当該リソース有効時間は専用リソースがアクティブである期間である。
【００６３】
第５の態様または第５の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式を参照して、第９の可能な実装方式では、当該プロセッサはさらに、ネットワーク上のリソース占有が第２の閾値未満であることが検出されたとき、当該無線通信モジュールを用いることで第２のメッセージを端末に送信するステップであって、第２のメッセージは取消命令を運搬し、当該取消命令は、当該指定サービスの専用リソース上の割当て命令を取り消すように端末に指示するために使用されるステップを実行するように構成される。
【００６４】
第６の態様によれば、本発明は、ソフトウェア・プログラムとデータを格納するように構成されたメモリと、メッセージを受信し、ネットワーク側により送信されたメッセージを処理のためにプロセッサに提供するように構成された無線通信モジュールと、ネットワーク側により送信された第１のメッセージを受信するステップであって、第１のメッセージは指定サービスの専用リソースを運搬し、当該専用リソースは、端末で当該指定サービスを開始したときに選択され占有されるリソースであるステップと、端末上の当該指定サービスのリソース割当てが当該専用リソースに従って決定されるように、当該専用リソースを第１のメッセージから取得し、当該専用リソースを格納するステップとを特に実行するために当該メモリ内の当該ソフトウェア・プログラムを実行するように構成された当該プロセッサとを備えた端末を提供する。
【００６５】
第６の態様の第１の可能な実装方式では、当該プロセッサはさらに、指定サービスに関するアクセス開始命令が受信されたとき、リソースが専用リソースから選択され占有されるように、専用リソースを起動状態に設定するステップを実行するように構成される。
【００６６】
第６の態様の第１の可能な実装方式を参照して、第２の可能な実装方式では、当該無線通信モジュールにより受信された第１のメッセージはページング・メッセージまたはブロードキャスト・メッセージである。
【００６７】
第６の態様の第２の可能な実装方式を参照して、第３の可能な実装方式では、第１のメッセージが第１のブロードキャスト・メッセージであるとき、当該プロセッサはさらに、修正指示を運搬しネットワーク側により送信された第１のページング・メッセージが受信されたとき、第２のブロードキャスト・メッセージを取得するステップであって、第２のブロードキャスト・メッセージは第２の指定サービスの専用リソースを運搬するステップと、第２の指定サービスの専用リソースを第２のブロードキャスト・メッセージから取得し、第２の指定サービスの専用リソースを格納するステップと、当該指定サービスの専用リソースを停止状態に設定し、第２の指定サービスの専用リソースを起動状態に設定するステップとを実行するように構成される。
【００６８】
第６の態様の第４の可能な実装方式では、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、当該プロセッサはさらに、第１の識別子を運搬しネットワーク側により送信された第２のページング・メッセージが受信されたとき、第１の識別子に対応する専用リソースを検索するステップと、第１の識別子に対応する指定サービスに関するアクセス開始命令が受信されたとき、リソースが当該専用リソースから選択され占有されるように、当該専用リソースを起動状態に設定するステップとを実行するように構成される。
【００６９】
第６の態様の第５の可能な実装方式では、当該プロセッサはさらに、指定サービス警告指示を運搬しネットワーク側により送信された第３のページング・メッセージが受信されたとき、指定サービスに関するアクセス開始命令が受信されたとき、リソースが専用リソースから選択され占有されるように、当該専用リソースを起動状態に設定するステップを実行するように構成される。
【００７０】
第６の態様の第１の可能な実装方式または第２の可能な実装方式または第３の可能な実装方式または第４の可能な実装方式または第５の可能な実装方式を参照して、第６の可能な実装方式では、当該プロセッサはさらに、事前設定有効時間に従って専用リソースを起動状態に設定するステップであって、当該事前設定有効時間は当該専用リソースがアクティブである期間であるステップを実行するように構成される。
【００７１】
第６の態様の第６の可能な実装方式を参照して、第７の可能な実装方式では、事前設定有効時間が端末で事前設定されたタイマの設定時刻であるとき、当該プロセッサはさらに、タイマを開始し、専用リソースを起動するステップと、タイマによる計時のプロセスにおいて、指定サービス警告指示を運搬しネットワーク側により送信された第４のページング・メッセージが受信されたとき、タイマを再開するステップであって、当該専用リソースの動作状態は起動状態であるステップとを実行するように構成される。
【００７２】
第６の態様の第６の可能な実装方式を参照して、第８の可能な実装方式では、事前設定有効時間に従って専用リソースを起動状態に設定する前に、当該プロセッサはさらに、指定サービス警告情報を運搬しネットワーク側により送信される第４のブロードキャスト・メッセージを受信し、当該指定サービス警告情報を取得するステップを実行するように構成される。
【００７３】
第６の態様の第８の可能な実装方式を参照して、第９の可能な実装方式では、第４のブロードキャスト・メッセージがリソース有効時間をさらに運搬し、当該リソース有効時間が専用リソースがアクティブである期間であるとき、当該プロセッサはさらに、当該リソース有効時間を第４のブロードキャスト・メッセージから取得し、当該リソース有効時間を格納し、当該リソース有効時間を事前設定有効時間として使用するステップを実行するように構成される。
【００７４】
第６の態様の第６の可能な実装方式を参照して、第１０の可能な実装方式では、第１のメッセージはリソース有効時間をさらに運搬し、当該リソース有効時間が専用リソースがアクティブである期間であるとき、当該プロセッサはさらに、当該リソース有効時間を第１のメッセージから取得し、当該リソース有効時間を格納し、当該リソース有効時間を事前設定有効時間として使用するステップを実行するように構成される。
【００７５】
第６の態様の第６の可能な実装方式または第７の可能な実装方式または第８の可能な実装方式または第９の可能な実装方式または第１０の可能な実装方式を参照して、第１１の可能な実装方式では、当該プロセッサはさらに、サービスの開始命令が受信されたとき、当該サービスが指定サービスかどうかを判定するステップと、当該サービスが指定サービスであり、専用リソースの動作状態が起動状態であるとき、当該専用リソースから、当該サービスにより占有されるリソースを選択するステップ、または、当該サービスが非指定サービスであり、当該専用リソースの動作状態が起動状態であるとき、別のリソースから、当該サービスにより占有されるリソースを選択するステップであって、当該別のリソースは専用リソースを含まないステップと、当該事前設定有効時間が切れたとき、当該専用リソースを停止状態に設定するステップとを実行するように構成される。
【００７６】
第６の態様または第６の態様の第１の可能な実装方式または第２の可能な実装方式または第３の可能な実装方式または第４の可能な実装方式または第５の可能な実装方式または第６の可能な実装方式または第７の可能な実装方式または第８の可能な実装方式または第９の可能な実装方式または第１０の可能な実装方式または第１１の可能な実装方式を参照して、第１２の可能な実装方式では、当該プロセッサはさらに、ネットワーク側により送信された第２のメッセージを受信するステップであって、第２のメッセージは取消命令を運搬し、当該取消命令は、指定サービスの専用リソース上の割当て命令を取り消すように端末に指示するために使用されるステップと、当該取消命令を第２のメッセージから取得し、当該専用リソースを解放するステップとを実行するように構成される。
【００７７】
本発明の諸実施形態で提供するリソース割当て方法および装置によれば、ネットワーク上のリソース占有が第１の閾値を越えたことを検出したとき、ネットワーク側は第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。本発明の諸実施形態では、専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【００７８】
本発明の諸実施形態の技術的解決策をより明確に説明するために、以下では本発明の諸実施形態を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００７９】
【図１】本発明の実施形態１に従うリソース割当て方法の流れ図である。
【図２】本発明の実施形態１に従う別のリソース割当て方法の流れ図である。
【図３】本発明の実施形態１に従うさらに別のリソース割当て方法の流れ図である。
【図４】本発明の実施形態１に従う、第１のメッセージが第１のブロードキャスト・メッセージであるときのリソース割当て方法の流れ図である。
【図５】本発明の実施形態１に従うさらに別のリソース割当て方法の流れ図である。
【図６】本発明の実施形態１に従うさらに別のリソース割当て方法の流れ図である。
【図７】本発明の実施形態１に従う別のリソース割当て方法の流れ図である。
【図８】本発明の実施形態１に従う、端末上のサービスを開始したときのリソース選択と占有を実装するリソース割当て方法の流れ図である。
【図９】本発明の実施形態１に従う、専用リソースを解放するための方法の流れ図である。
【図１０】本発明の実施形態２に従うネットワーク装置の構造図である。
【図１１】本発明の実施形態２に従う端末の構造図である。
【図１２】本発明の実施形態２に従う別の端末の構造図である。
【図１３】本発明の実施形態２に従うさらに別の端末の構造図である。
【図１４】本発明の実施形態２に従うさらに別の端末の構造図である。
【図１５】本発明の実施形態３に従うネットワーク装置の構造図である。
【図１６】本発明の実施形態３に従う端末の構造図である。
【発明を実施するための形態】
【００８０】
以下で、本発明の諸実施形態の添付図面を参照して本発明の諸実施形態の技術的解決策を明確かつ十分に説明する。明らかに、説明する実施形態は本発明の実施形態の一部にすぎず全部ではない。当業者が創造的作業なしに本発明の諸実施形態に基づいて取得する他の全ての実施形態は本発明の保護範囲に入るものとする。
【００８１】
実施形態１
本発明の１実施形態ではリソース割当て方法を提供し、本発明の当該実施形態はネットワーク側により実施される。図１に示すように、当該方法は以下のステップを含む。
【００８２】
１０１で、ネットワーク上のリソース占有が第１の閾値を越えることが検出されたとき、第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。
【００８３】
ネットワーク側が基地局または別のネットワーク装置であってもよく、本明細書では限定されない。
【００８４】
第１のメッセージはページング・メッセージまたはブロードキャスト・メッセージである。第１のメッセージがブロードキャスト・メッセージであるとき、先行技術では、ネットワーク側が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が専用リソースを運搬する。例えば、当該専用リソースはアクセス・チャネル・リソースおよび／またはアクセス・コード・リソースである。
【００８５】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【００８６】
ネットワーク側はネットワーク上のリソース占有を検出し続け、ネットワーク上のリソース占有が第１の閾値を超過したことが検出されたとき、例えば、第１の閾値が、ネットワーク上のリソース占有が７０％であるというものであるとき、ネットワーク側は専用リソースを当該指定サービスに割り当てる。例えば、当該指定サービスが緊急サービスであるとき、当該実施形態では当該緊急サービスがアクセスを取得できないという問題を回避することができる。
【００８７】
本発明の当該実施形態で提供するリソース割当て方法によれば、ネットワーク上のリソース占有が第１の閾値を越えたことを検出したとき、ネットワーク側は第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【００８８】
それに対応して、本発明の１実施形態ではリソース割当て方法をさらに提供する。本発明の当該実施形態は端末により実施される。図２に示すように、当該方法は以下のステップを含む。
【００８９】
２０１で、ネットワーク側により送信された第１のメッセージを受信する。第１のメッセージは指定サービスの専用リソースを運搬し、当該専用リソースは、端末で当該指定サービスを開始したときに選択され占有されるリソースである。
【００９０】
ネットワーク側が基地局または別のネットワーク装置であってもよく、本明細書では限定されない。
【００９１】
第１のメッセージはページング・メッセージまたはブロードキャスト・メッセージである。第１のメッセージがブロードキャスト・メッセージであるとき、先行技術では、ネットワーク側が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が専用リソースを運搬する。例えば、当該専用リソースはアクセス・チャネル・リソースおよび／またはアクセス・コード・リソースである。
【００９２】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【００９３】
２０２で、端末上の指定サービスのリソース割当てが専用リソースに従って決定されるように、当該専用リソースを第１のメッセージから取得し当該専用リソースを格納する。
【００９４】
本発明の当該実施形態で提供するリソース割当て方法によれば、端末はネットワーク側により送信された第１のメッセージを受信し、端末上の指定サービスのリソース割当てが専用リソースに従って決定されるように、当該専用リソースを第１のメッセージから取得し、当該専用リソースを格納する。第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【００９５】
本発明の当該実施形態の第１の実装方式では、リソース割当て方法を提供する。図３に示すように、説明のために端末および基地局であるネットワーク側を用いると、当該方法は以下のステップを含む。
【００９６】
３０１で、ネットワーク上のリソース占有が第１の閾値を越えたことを検出したとき、基地局は第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。
【００９７】
３０２で、端末が第１のメッセージを受信する。
【００９８】
第１のメッセージはページング・メッセージまたはブロードキャスト・メッセージである。第１のメッセージがブロードキャスト・メッセージであるとき、先行技術では、ネットワーク側が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【００９９】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【０１００】
３０３で、端末が当該専用リソースを第１のメッセージから取得し、当該専用リソースを格納する。
【０１０１】
３０４で、当該指定サービスに関するアクセス開始命令が受信されたとき、リソースが当該専用リソースから選択され占有されるように、端末が当該専用リソースを起動状態に設定する。
【０１０２】
端末上の当該指定サービスを開始するとき、先行技術を用いることによって、リソースが、格納された専用リソースから選択されて占有される。
【０１０３】
端末が非指定サービスの開始命令を受信すると、端末はリソースを別のリソースから選択し、当該リソースを占有する。当該別のリソースは専用リソースを含まない。
【０１０４】
さらに、第１のメッセージがページング・メッセージであるとき、端末上の指定サービスのリソース割当てが、指定されたリソースであり当該ページング・メッセージで運搬される専用リソースに従って決定される。端末が別の更新されたページング・メッセージを再び受信し、当該更新されたページング・メッセージが第２の指定サービスの専用リソースを運搬するとき、端末は、第２の指定サービスの専用リソースに従って端末上の第２の指定サービスのリソース割当てを決定して、当該指定サービスのものであり第１のメッセージ内にある過去の専用リソースを置き換える。
【０１０５】
さらに、図４に示すように、第１のメッセージが第１のブロードキャスト・メッセージであるとき、当該方法はさらに以下のステップを含む。
【０１０６】
４０１で、修正指示を運搬する第１のページング・メッセージを基地局が端末に送信する。当該修正指示は、当該指定サービスの専用リソースを修正するように端末に指示するために使用される。
【０１０７】
４０２で、当該修正指示を運搬し基地局により送信された第１のページング・メッセージを受信したとき、端末は、基地局により端末に送信された第２のブロードキャスト・メッセージを取得する。第２のブロードキャスト・メッセージは第２の指定サービスの専用リソースを運搬する。
【０１０８】
サービス量、サービス強度等に関する統計値を収集することによって、現在のリソース構成が基地局の負荷要件を満たさないと判定したとき、基地局は、当該修正指示を運搬する第１のページング・メッセージを送信することによって、リソース構成を修正するように端末に指示してもよく、第２の指定サービスの専用リソースが第２のブロードキャスト・メッセージを取得することによって得られる。
【０１０９】
４０３で、端末が第２の指定サービスの専用リソースを第２のブロードキャスト・メッセージから取得し、第２の指定サービスの専用リソースを格納する。
【０１１０】
４０４で、端末が当該指定サービスの専用リソースを停止状態に設定し、第２の指定サービスの専用リソースを起動状態に設定する。
【０１１１】
換言すれば、当該指定サービスの過去に設定された専用リソースの当該指定サービスによる独占が停止される、即ち、停止後に、別の非指定サービスが、アクセス命令が開始された後に当該指定サービスの専用リソースを占有することができる。
【０１１２】
しかし、第２の指定サービスの専用リソースを起動状態に設定した後、第２の指定サービスは、アクセス命令が開始されたときにしか第２の指定サービスの専用リソースを占有できず、別のサービスは第２の指定サービスの専用リソースを占有することができない。
【０１１３】
本発明の当該実施形態の第２の実装方式では、リソース割当て方法を提供する。図５に示すように、説明のために端末および基地局であるネットワーク側を用いると、当該方法は以下のステップを含む。
【０１１４】
５０１で、ネットワーク上のリソース占有が第１の閾値を越えたことを検出したとき、基地局が第３のブロードキャスト・メッセージを端末に送信する。第３のブロードキャスト・メッセージは指定サービスに対する専用リソース構成リストを運搬し、指定サービスに対する専用リソース構成リストは指定サービスに対応する識別子および当該指定サービスに対応する専用リソースを含む。
【０１１５】
５０２で、端末が第３のブロードキャスト・メッセージを受信する。
【０１１６】
５０３で、端末が、指定サービスに対する専用リソース構成リストを第３のブロードキャスト・メッセージから取得し、指定サービスに対する専用リソース構成リストを格納する。
【０１１７】
先行技術では、ネットワーク側がブロードキャスト・メッセージを定期的に送信する。例えば、第３のブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスに対する専用リソース構成リストを運搬する。例えば、当該専用リソースはアクセス・チャネル・リソースおよび／またはアクセス・コード・リソースである。
【０１１８】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【０１１９】
指定サービスに対する専用リソース構成リストは指定サービスに対応する識別子および当該指定サービスに対応する専用リソースを含む。例えば、緊急サービスに対応する識別子は１であり、高優先度サービスに対応する識別子は２である。当該緊急サービスと当該高優先度サービスはそれぞれ対応する専用リソースを有する。当該リストにおける指定サービスの量は本明細書では限定されない。
【０１２０】
５０４で、基地局が、第１の識別子を運搬する第２のページング・メッセージを端末に送信する。
【０１２１】
５０５で、第１の識別子を運搬し基地局により送信された第２のページング・メッセージを受信したとき、端末が第１の識別子に対応する専用リソースを検索する。
【０１２２】
５０６で、第１の識別子に対応する指定サービスに関するアクセス開始命令が受信されたとき、リソースが当該専用リソースから選択され占有されるように、当該専用リソースを起動状態に設定する。
【０１２３】
例えば、端末により受信された第１の識別子が１であるとき、当該識別子１に対応する専用リソースが検索され、当該専用リソースが起動される。即ち、緊急サービスに対応する専用リソースが起動され、別の非緊急サービスは当該専用リソースを占有することができない。
【０１２４】
本発明の当該実施形態の第３の実装方式では、リソース割当て方法を提供する。図６に示すように、説明のために端末および基地局であるネットワーク側を用いると、当該方法は以下のステップを含む。
【０１２５】
６０１で、ネットワーク上のリソース占有が第１の閾値を越えたことを検出したとき、基地局は第１のメッセージを端末に送信する。第１のメッセージは指定サービスの専用リソースを運搬し、当該専用リソースは、端末で当該指定サービスを開始したときに選択され占有されるリソースである。
【０１２６】
６０２で、端末が第１のメッセージを受信する。
【０１２７】
第１のメッセージはページング・メッセージまたはブロードキャスト・メッセージである。第１のメッセージがブロードキャスト・メッセージであるとき、先行技術では、ネットワーク側が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【０１２８】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【０１２９】
６０３で、端末が当該専用リソースを第１のメッセージから取得し、当該専用リソースを格納する。
【０１３０】
６０４で、基地局が指定サービス警告指示を運搬する第３のページング・メッセージを端末に送信する。
【０１３１】
６０５で、当該指定サービス警告指示を運搬する第３のページング・メッセージを受信したとき、端末が当該指定サービスに関するアクセス開始命令が受信されたときにリソースが専用リソースから選択され占有されるように、当該専用リソースを起動状態に設定する。
【０１３２】
指定サービス警告指示、例えば、地震または津波警告指示のような緊急サービス警告指示を基地局で送信する必要があるとき、基地局は当該指定サービス警告指示を運搬する第３のページング・メッセージを送出して、端末に通知する。
【０１３３】
本発明の当該実施形態の第４の実装方式では、リソース割当て方法を提供する。端末および基地局であるネットワーク側を説明に用いる。当該実装方式では、事前設定有効時間内において、指定サービスがアクセスの取得に成功できることを保証するように、専用リソースがアクティブである期間を当該事前設定有効時間を用いて設定してもよい。図７に示すように、当該方法は以下のステップを含む。
【０１３４】
７０１で、ネットワーク上のリソース占有が第１の閾値を越えたことを検出したとき、基地局は第１のメッセージを端末に送信する。第１のメッセージは指定サービスの専用リソースを運搬し、当該専用リソースは、端末で当該指定サービスを開始したときに選択され占有されるリソースである。
【０１３５】
７０２で、端末が第１のメッセージを受信する。
【０１３６】
第１のメッセージはページング・メッセージまたはブロードキャスト・メッセージである。第１のメッセージがブロードキャスト・メッセージであるとき、先行技術では、ネットワーク側が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【０１３７】
当該指定サービスが、１１０、１２０、または１１９のような緊急サービスであってもよく、または、端末により予め設定された相対的に高いアクセス・レベルを有するサービスのような高優先度のサービスであってもよい。当該指定サービスの具体的な範囲は本明細書では限定されない。
【０１３８】
７０３で、端末が当該専用リソースを第１のメッセージから取得し、当該専用リソースを格納する。
【０１３９】
７０４で、端末が事前設定有効時間に従って当該専用リソースを起動状態に設定する。当該事前設定有効時間は当該専用リソースがアクティブである期間である。
【０１４０】
当該事前設定有効時間を、固定値または変数を用いて設定してもよい。具体的な実装方式を以下に示す。
【０１４１】
方式１
ａ１で、端末でタイマを開始し、専用リソースを起動する。
【０１４２】
タイマは端末で固定され、タイマの設定時間は事前設定有効時間、例えば、２秒である。タイマの機能は、タイマによる計時のプロセスにおいて、専用リソースが起動状態であるときに、指定サービスが開始されたときのみ当該専用リソースを占有でき、別の非指定サービスが当該専用リソースを占有できないというものである。
【０１４３】
ａ２で、タイマによる計時のプロセスにおいて、指定サービス警告指示を運搬し基地局により送信される第４のページング・メッセージが受信されたとき、タイマを再開する。当該専用リソースの動作状態は起動状態である。
【０１４４】
タイマによる計時のプロセスにおいて、当該指定サービス警告指示を運搬する第４のページング・メッセージを再度受信したときに、タイマが再開され、当該専用リソースの動作状態は起動状態を保ち続ける。
【０１４５】
方式２
事前設定有効時間に従って専用リソースを起動状態に設定する前に、端末は、指定サービス警告情報を運搬し基地局により送信される第４のブロードキャスト・メッセージを受信し、当該指定サービス警告情報を取得する。第４のブロードキャスト・メッセージがリソース有効時間をさらに運搬し、当該リソース有効時間は専用リソースがアクティブである期間である。
【０１４６】
当該リソース有効時間は第４のブロードキャスト・メッセージから取得されて格納され、当該リソース有効時間は事前設定有効時間として使用される。
【０１４７】
当該事前設定有効時間を、基地局により送信されたメッセージ内で設定してもよい。専用リソースの利用は、端末で設定されたタイマの固定値を使用するのではなく、当該メッセージ内の変数に従って動的に制御される。
【０１４８】
方式３
基地局により端末に送信された第１のメッセージがリソース有効時間を運搬するとき、当該リソース有効時間が第１のメッセージから取得されて格納され、当該リソース有効時間が事前設定有効時間として使用される。
【０１４９】
端末が当該事前設定有効時間内であるとき、および、端末でサービスが開始されたとき、図８に示すように、リソース選択と占有が以下のステップを用いて実装される。
【０１５０】
８０１で、サービスの開始命令を受信したとき、端末は当該サービスが指定サービスかどうかを判定する。
【０１５１】
端末は先ず、当該命令を開始したサービスが指定サービスであるかどうかを判定する。例えば、当該指定サービスが緊急サービスであるとき、端末は、先行技術を用いることによって当該緊急サービスの決定を実施してもよい。
【０１５２】
８０２で、当該サービスが指定サービスであり、当該専用リソースの動作状態が起動状態であるとき、当該専用リソースから、当該サービスにより占有されるリソースを選択する。
【０１５３】
当該サービスが指定サービスであり、当該指定サービスの専用リソースの動作状態が起動状態であると端末が判定したとき、先行技術を用いることによってリソースが当該専用リソースから選択され、先行技術は当該指定サービスに対する接続を確立するプロセスにおけるアクセスと占有のために使用される。
【０１５４】
８０３で、当該サービスが非指定サービスであり、当該専用リソースの動作状態が起動状態であるとき、別のリソースから、当該サービスにより占有されるリソースを選択する。当該別のリソースは専用リソースを含まない。
【０１５５】
当該サービスが非指定サービスであり、専用リソースの動作状態が起動状態であると端末が判定したとき、接続を確立するプロセスにおいて当該非指定サービスによりアクセスおよび占有できるリソースは、先行技術を用いて別のリソースから、即ち、当該専用リソースを含まないリソースから選択される。したがって、非指定サービスが指定サービスに影響を及ぼすという問題が回避される。当該問題は、端末上の指定サービスを開始する必要があるときに、アクセスを取得するためにリソースが選択され、当該別の非指定サービスもアクセスを取得するために同一のリソースを選択できるため当該指定サービスと非指定サービスの間で衝突が発生することに起因する。
【０１５６】
８０４で、事前設定有効時間が切れたとき、当該専用リソースを停止状態に設定する。
【０１５７】
この場合、非指定サービスが、占有のためのリソースを任意に選択することができる。
【０１５８】
当該実装方式を上述の４つの実装方式に適用してもよい。即ち、専用リソースの利用時間を、事前設定有効時間を用いて制限してもよい。あるいは、当該事前設定有効時間を制限しなくともよく、当該専用リソースでの起動は、端末により基地局からメッセージを受信することにより実施される。
【０１５９】
本発明の当該実施形態では、専用リソースの起動および停止が制御される、その結果、端末が大量のアクセス命令を受信したときに指定サービスがブロックされるという問題が解決され、リソースを十分に使用してリソース利用率を改善することができる。
【０１６０】
本発明の当該実施形態の第５の実装方式では、リソース割当て方法を提供する。図９に示すように、説明のために端末および基地局であるネットワーク側を用いると、当該方法はさらに以下を含む。
【０１６１】
９０１で、ネットワーク上のリソース占有が第２の閾値未満であると検出したとき、基地局は第２のメッセージを端末に送信する。第２のメッセージは取消命令を運搬し、当該取消命令は、指定サービスの専用リソース上の割当て命令を取り消すように端末に指示するために使用される。
【０１６２】
基地局はネットワーク上のリソース占有を検出し続ける。ネットワーク上のリソース占有が第２の閾値未満であることが検出されたとき、例えば、第２の閾値が、ネットワーク上のリソース占有が３０％であるというものであるとき、基地局はもはや専用リソースを指定サービスに割り当てない。
【０１６３】
９０２で、端末が、ネットワーク側により送信された第２のメッセージを受信する。
【０１６４】
９０３で、端末が取消命令を第２のメッセージから取得し、専用リソースを解放する。
【０１６５】
専用リソースを解放した後、当該専用リソースはもはや指定サービスにより占有されず、別のサービスにより選択され占有されうる。
【０１６６】
当該実装方式を上述の４つの実装方式に適用してもよい。即ち、専用リソースを指定サービスに割り当ててもよく、当該専用リソースを解放してもよい。
【０１６７】
本発明の当該実施形態をＬＴＥ（Ｌｏｎｇ  Ｔｅｒｍ  Ｅｖｏｌｕｔｉｏｎ、ロング・ターム・エボリューション）およびＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広域符号分割多重アクセス）に適用してもよい。
【０１６８】
実施形態２
本発明の１実施形態ではネットワーク装置１０を提供する。図１０に示すように、当該ネットワーク装置は送信ユニット１００１を備える。
【０１６９】
送信ユニット１００１は、ネットワーク上のリソース占有が第１の閾値を越えることが検出されたとき、第１のメッセージを端末に送信するように構成される。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。
【０１７０】
本発明の当該実施形態で提供するネットワーク装置によれば、ネットワーク上のリソース占有が第１の閾値を越えたことを検出したとき、ネットワーク側は第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【０１７１】
場合によっては、当該送信ユニットにより送信された第１のメッセージはページング・メッセージまたはブロードキャスト・メッセージである。
【０１７２】
場合によっては、第１のメッセージが第１のブロードキャスト・メッセージであるとき、当該送信ユニットはさらに、修正指示を運搬する第１のページング・メッセージを端末に送信するように構成され、第２のブロードキャスト・メッセージを端末に送信するようにさらに構成される。端末が当該指定サービスの専用リソースを停止状態に設定し、第２の指定サービスの専用リソースを起動状態に設定するように、第２のブロードキャスト・メッセージは第２の指定サービスの専用リソースを運搬する。
【０１７３】
場合によっては、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、当該送信ユニットはさらに、端末が対応する専用リソースを第１の識別子に従って発見し、当該専用リソースを起動状態に設定し、端末が第１の識別子に対応する指定サービスに関するアクセス開始命令を受信したとき、リソースを当該専用リソースから選択し当該リソースを占有するように、第１の識別子を運搬する第２のページング・メッセージを端末に送信するように構成される。
【０１７４】
場合によっては、当該送信ユニットはさらに、端末が専用リソースを起動状態に設定し、端末が指定サービスに関するアクセス開始命令を受信したとき、リソースを当該専用リソースから選択し当該リソースを占有するように、指定サービス警告指示を運搬する第３のページング・メッセージを端末に送信するように構成される。
【０１７５】
場合によっては、当該送信ユニットはさらに、端末がタイマを再開するように、指定サービス警告指示を運搬する第４のページング・メッセージを端末に送信するように構成される。
【０１７６】
場合によっては、当該送信ユニットはさらに、端末が当該指定サービス警告情報を取得するように、指定サービス警告情報を運搬する第４のブロードキャスト・メッセージを端末に送信するように構成される。
【０１７７】
場合によっては、端末がリソース有効時間を取得し格納し、当該リソース有効時間を事前設定有効時間として使用するように、当該送信ユニットにより送信された第４のブロードキャスト・メッセージはさらにリソース有効時間を運搬し、当該リソース有効時間は専用リソースがアクティブである期間である。
【０１７８】
場合によっては、端末がリソース 有効時間を取得し格納し、当該リソース 有効時間 を事前設定有効時間として使用するように、当該送信ユニットにより送信された第１のメッセージはさらにリソース有効時間を含み、当該リソース有効時間は専用リソースがアクティブである期間である。
【０１７９】
場合によっては、当該送信ユニットはさらに、ネットワーク上のリソース占有が第２の閾値未満であることが検出されたとき、第２のメッセージを端末に送信するように構成される。第２のメッセージは取消命令を運搬し、当該取消命令は、当該指定サービスの専用リソース上の割当て命令を取り消すように端末に指示するために使用される。
【０１８０】
上述のネットワーク装置１０の動作プロセスについては、上述のリソース割当て方法の処理プロセスを参照されたい。
【０１８１】
それに対応して、本発明の１実施形態では端末１１をさらに提供する。図１１に示すように、端末は受信ユニット１１１および処理ユニット１１２を備える。
【０１８２】
受信ユニット１１１は、ネットワーク側により送信された第１のメッセージを受信するように構成される。第１のメッセージは指定サービスの専用リソースを運搬し、当該専用リソースは、端末で当該指定サービスを開始したときに選択され占有されるリソースである。
【０１８３】
処理ユニット１１２は、端末上の指定サービスのリソース割当てが専用リソースに従って決定されるように、当該専用リソースを当該受信ユニットにより受信された第１のメッセージから取得し、当該専用リソースを格納するように構成される。
【０１８４】
本発明の当該実施形態で提供する端末によれば、端末上の指定サービスのリソース割当てが専用リソースに従って決定されるように、端末はネットワーク側により送信された第１のメッセージを受信し、当該専用リソースを第１のメッセージから取得し、当該専用リソースを格納する。第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【０１８５】
場合によっては、当該処理ユニットは、指定サービスに関するアクセス開始命令が受信されたとき、リソースが専用リソースから選択され占有されるように、当該専用リソースを起動状態に設定するように構成される。
【０１８６】
場合によっては、当該受信ユニットにより受信された第１のメッセージはページング・メッセージまたはブロードキャスト・メッセージである。
【０１８７】
場合によっては、当該受信ユニットにより受信された第１のメッセージが第１のブロードキャスト・メッセージであるとき、当該処理ユニットはさらに、修正指示を運搬しネットワーク側により送信された第１のページング・メッセージを当該受信ユニットが受信したとき、第２のブロードキャスト・メッセージを取得するように構成される。第２のブロードキャスト・メッセージは第２の指定サービスの専用リソースを運搬する。
【０１８８】
図１２に示すように、端末はさらに、第２の指定サービスの専用リソースを第２のブロードキャスト・メッセージから取得し、第２の指定サービスの専用リソースを格納するように構成された取得ユニット１１３を備える。
【０１８９】
当該処理ユニットはさらに、当該指定サービスの専用リソースを停止状態に設定し、第２の指定サービスの専用リソースを起動状態に設定するように構成される。
【０１９０】
場合によっては、当該受信ユニットにより受信された第１のメッセージが第３のブロードキャスト・メッセージであり、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、図１３に示すように、端末はさらに、当該受信ユニットが、第１の識別子を運搬しネットワーク側により送信された第２のページング・メッセージを受信したとき、第１の識別子に対応する専用リソースを検索するように構成される検索ユニット１１４を備える。
【０１９１】
当該処理ユニットはさらに、第１の識別子に対応する指定サービスに関するアクセス開始命令が受信されたとき、リソースが専用リソースから選択され占有されるように、当該専用リソースを起動状態に設定するように構成される。
【０１９２】
場合によっては、当該処理ユニットはさらに、当該指定サービスに関するアクセス開始命令が受信されたとき、リソースが専用リソースから選択され占有されるように、当該受信ユニットが、指定サービス警告指示を運搬しネットワーク側により送信された第３のページング・メッセージを受信したとき、当該専用リソースを起動状態に設定するように構成される。
【０１９３】
場合によっては、当該処理ユニットはさらに、事前設定有効時間に従って専用リソースを起動状態に設定するように構成され、当該事前設定有効時間は当該専用リソースがアクティブである期間である。
【０１９４】
場合によっては、当該事前設定有効時間が端末で事前設定されたタイマの設定時刻であるとき、当該処理ユニットはさらに、タイマを開始し、当該専用リソースを起動するように構成され、さらに、タイマによる計時のプロセスにおいて、当該受信ユニットが、指定サービス警告指示を運搬しネットワーク側により送信された第４のページング・メッセージを受信したとき、タイマを再開するように構成される。当該専用リソースの動作状態は起動状態である。
【０１９５】
場合によっては、当該受信ユニットはさらに、事前設定有効時間に従って、当該処理ユニットが指定サービスの専用リソースを起動状態に設定する前に、指定サービス警告情報を運搬しネットワーク側により送信される第４のブロードキャスト・メッセージを受信し、当該指定サービス警告情報を取得するように構成される。
【０１９６】
場合によっては、当該受信ユニットにより受信された第４のブロードキャスト・メッセージがさらにリソース有効時間を運搬し、当該リソース有効時間が専用リソースがアクティブである期間であるとき、当該処理ユニットはさらに、当該リソース有効時間を第４のブロードキャスト・メッセージから取得し、当該リソース有効時間を格納し、当該リソース有効時間を事前設定有効時間として使用するように構成される。
【０１９７】
場合によっては、当該受信ユニットにより受信された第１のメッセージがさらにリソース有効時間を運搬し、当該リソース有効時間が専用リソースがアクティブである期間であるとき、当該処理ユニットはさらに、当該リソース有効時間を第１のメッセージから取得し、当該リソース有効時間を格納し、当該リソース有効時間を事前設定有効時間として使用するように構成される。
【０１９８】
場合によっては、図１４に示すように、端末はさらに、当該受信ユニットがサービスの開始命令を受信したとき、当該サービスが指定サービスかどうかを判定するように構成される決定ユニット１１５を備える。
【０１９９】
当該処理ユニットはさらに、当該サービスが指定サービスであり、当該専用リソースの動作状態が起動状態であると当該決定ユニットが判定したとき、当該専用リソースから、当該サービスにより占有されるリソースを選択するように構成される。
【０２００】
当該処理ユニットはさらに、当該サービスが非指定サービスであり、専用リソースの動作状態が起動状態であると当該決定ユニットが判定したとき、別の専用リソースから、当該サービスにより占有されるリソースを選択するように構成される。当該別のリソースは専用リソースを含まない。
【０２０１】
当該処理ユニットはさらに、事前設定有効時間が切れたとき、専用リソースを停止状態に設定するように構成される。
【０２０２】
場合によっては、当該受信ユニットはさらに、ネットワーク側により送信された第２のメッセージを受信するように構成される。第２のメッセージは取消命令を運搬し、当該取消命令は、当該指定サービスの専用リソース上の割当て命令を取り消すように端末に指示するために使用される。
【０２０３】
当該処理ユニットはさらに、当該取消命令を第２のメッセージから取得し、当該専用リソースを解放するように構成される。
【０２０４】
上述の端末１１の動作プロセスについては、上述のリソース割当て方法の処理プロセスを参照されたい。
【０２０５】
本発明の当該実施形態をＬＴＥおよびＷＣＤＭＡ（登録商標）に適用してもよい。
【０２０６】
実施形態３
本発明の１実施形態ではネットワーク装置１５を提供する。図１５に示すように、当該ネットワーク装置はメモリ１５１、無線通信モジュール１５２、およびプロセッサ１５３を備える。
【０２０７】
メモリ１５１はソフトウェア・プログラムとデータを格納するように構成される。
【０２０８】
無線通信モジュール１５２は、メッセージを端末に送信するように構成される。
【０２０９】
プロセッサ１５３は特に、ネットワーク上のリソース占有が第１の閾値を越えることが検出されたとき、当該無線通信モジュールを用いることによって、第１のメッセージを端末に送信するステップであって、端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースであるステップを実行するために、当該メモリ内の当該ソフトウェア・プログラムを実行するように構成される。
【０２１０】
本発明の当該実施形態で提供するネットワーク装置によれば、ネットワーク上のリソース占有が第１の閾値を越えたことを検出したとき、ネットワーク側は第１のメッセージを端末に送信する。端末が端末上の指定サービスのリソース割当てを専用リソースに従って決定するように、第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【０２１１】
場合によっては、当該無線通信モジュールにより端末に送信された第１のメッセージはページング・メッセージまたはブロードキャスト・メッセージである。
【０２１２】
場合によっては、第１のメッセージが第１のブロードキャスト・メッセージであるとき、第１のメッセージを端末に送信した後、当該プロセッサはさらに、当該無線通信モジュールを用いることによって、修正指示を運搬する第１のページング・メッセージを端末に送信するステップと、当該無線通信モジュールを用いることによって、第２のブロードキャスト・メッセージを端末に送信するステップであって、端末が当該指定サービスの専用リソースを停止状態に設定し、第２の指定サービスの専用リソースを起動状態に設定するように、第２のブロードキャスト・メッセージは第２の指定サービスの専用リソースを運搬するステップとを実行するように構成される。
【０２１３】
場合によっては、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、第１のメッセージを端末に送信した後、当該プロセッサはさらに、端末が対応する専用リソースを第１の識別子に従って発見し、当該専用リソースを起動状態に設定し、端末が第１の識別子に対応する指定サービスに関するアクセス開始命令を受信したとき、リソースを当該専用リソースから選択し当該リソースを占有するように、当該無線通信モジュールを用いることによって、第１の識別子を運搬する第２のページング・メッセージを端末に送信するステップを実行するように構成される。
【０２１４】
場合によっては、第１のメッセージを端末に送信した後、当該プロセッサはさらに、端末が専用リソースを起動状態に設定し、端末が指定サービスに関するアクセス開始命令を受信したとき、リソースを当該専用リソースから選択し当該リソースを占有するように、当該無線通信モジュールを用いることによって、指定サービス警告指示を運搬する第３のページング・メッセージを端末に送信するステップを実行するように構成される。
【０２１５】
場合によっては、事前設定有効時間が端末で事前設定されたタイマの設定時刻であるとき、第１のメッセージを端末に送信した後、当該プロセッサはさらに、端末がタイマを再開するように、当該無線通信モジュールを用いることによって、指定サービス警告指示を運搬する第４のページング・メッセージを端末に送信するステップを実行するように構成される。
【０２１６】
場合によっては、第１のメッセージを端末に送信した後、当該プロセッサはさらに、端末が指定サービス警告情報を取得するように、当該無線通信モジュールを用いることによって、指定サービス警告情報を運搬する第４のブロードキャスト・メッセージを端末に送信するステップを実行するように構成される。
【０２１７】
場合によっては、当該無線通信モジュールにより端末に送信された第４のブロードキャスト・メッセージはさらに、端末が当該リソース有効時間を取得し格納し、当該リソース有効時間を事前設定有効時間として使用するように、リソース有効時間を運搬する。当該リソース有効時間は専用リソースがアクティブである期間である。
【０２１８】
場合によっては、端末がリソース有効時間を取得し格納し、当該リソース有効時間を事前設定有効時間として使用するように、当該無線通信モジュールにより端末に送信された第１のメッセージはさらにリソース有効時間を運搬し、当該リソース有効時間は専用リソースがアクティブである期間である。
【０２１９】
場合によっては、当該プロセッサはさらに、ネットワーク上のリソース占有が第２の閾値未満であることが検出されたとき、当該無線通信モジュールを用いることで第２のメッセージを端末に送信するステップであって、第２のメッセージは取消命令を運搬し、当該取消命令は、指定サービスの専用リソース上の割当て命令を取り消すように端末に指示するために使用されるステップを実行するように構成される。
【０２２０】
それに対応して、本発明の１実施形態では端末１６をさらに提供する。図１６に示すように、端末は、メモリ１６１、無線通信モジュール１６２、およびプロセッサ１６３を備える。
【０２２１】
メモリ１６１はソフトウェア・プログラムとデータを格納するように構成される。
【０２２２】
無線通信モジュール１６２は、メッセージを受信し、ネットワーク側により送信されたメッセージを処理のために当該プロセッサに提供するように構成される。
【０２２３】
プロセッサ１６３は、特に、ネットワーク側により送信された第１のメッセージを受信するステップであって、第１のメッセージは指定サービスの専用リソースを運搬し、当該専用リソースは、端末で当該指定サービスを開始したときに選択され占有されるリソースであるステップと、端末上の指定サービスのリソース割当てが専用リソースに従って決定されるように、当該専用リソースを第１のメッセージから取得し、当該専用リソースを格納するステップとを実行するために当該メモリ内の当該ソフトウェア・プログラムを実行するように構成される。
【０２２４】
本発明の当該実施形態で提供する端末によれば、端末はネットワーク側により送信された第１のメッセージを受信し、端末上の指定サービスのリソース割当てが専用リソースに従って決定されるように、当該専用リソースを第１のメッセージから取得し、当該専用リソースを格納する。第１のメッセージは指定サービスの専用リソースを運搬し、当該専用リソースは、端末で当該指定サービスを開始したときに選択され占有されるリソースである。本発明の当該実施形態では、当該専用リソースが偶発的事象に関連する指定サービスに割り当てられるときに占有される専用リソースを保持することに起因するネットワーク上のリソースの利用効率が低下するという先行技術の問題が解決され、それにより、リソース利用効率が向上する。
【０２２５】
場合によっては、当該プロセッサはさらに、当該指定サービスに関するアクセス開始命令が受信されたとき、リソースが専用リソースから選択され占有されるように、当該専用リソースを起動状態に設定するステップを実行するように構成される。
【０２２６】
場合によっては、当該無線通信モジュールにより受信された第１のメッセージはページング・メッセージまたはブロードキャスト・メッセージである。
【０２２７】
場合によっては、第１のメッセージが第１のブロードキャスト・メッセージであるとき、当該プロセッサはさらに、修正指示を運搬しネットワーク側により送信された第１のページング・メッセージが受信されたとき、第２のブロードキャスト・メッセージを取得するステップであって、第２のブロードキャスト・メッセージは第２の指定サービスの専用リソースを運搬するステップと、第２の指定サービスの専用リソースを第２のブロードキャスト・メッセージから取得し、第２の指定サービスの専用リソースを格納するステップと、当該指定サービスの専用リソースを停止状態に設定し、第２の指定サービスの専用リソースを起動状態に設定するステップを実行するように構成される。
【０２２８】
場合によっては、第１のメッセージが第３のブロードキャスト・メッセージを含み、第３のブロードキャスト・メッセージで運搬される専用リソースが指定サービスに対する専用リソース構成リストであり、指定サービスに対する専用リソース構成リストが指定サービスに対応する識別子および当該指定サービスに対応する専用リソースを含むとき、当該プロセッサはさらに、第１の識別子を運搬しネットワーク側により送信された第２のページング・メッセージが受信されたとき、第１の識別子に対応する専用リソースを検索するステップと、第１の識別子に対応する指定サービスに関するアクセス開始命令が受信されたとき、リソースが専用リソースから選択され占有されるように、当該専用リソースを起動状態に設定するステップを実行するように構成される。
【０２２９】
場合によっては、当該プロセッサはさらに、指定サービス警告指示を運搬しネットワーク側により送信された第３のページング・メッセージが受信されたとき、指定サービスに関するアクセス開始命令が受信されたとき、リソースが専用リソースから選択され占有されるように、当該専用リソースを起動状態に設定するステップを実行するように構成される。
【０２３０】
場合によっては、当該プロセッサはさらに、事前設定有効時間に従って専用リソースを起動状態に設定するステップであって、当該事前設定有効時間は当該専用リソースがアクティブである期間であるステップを実行するように構成される。
【０２３１】
場合によっては、当該事前設定有効時間が端末で事前設定されたタイマの設定時刻であるとき、当該プロセッサはさらに、タイマを開始し、専用リソースを起動するステップと、タイマによる計時のプロセスにおいて、指定サービス警告指示を運搬しネットワーク側により送信された第４のページング・メッセージが受信されたとき、タイマを再開するステップであって、当該専用リソースの動作状態は起動状態であるステップとを実行するように構成される。
【０２３２】
場合によっては、事前設定有効時間に従って専用リソースを起動状態に設定する前に、当該プロセッサはさらに、指定サービス警告情報を運搬しネットワーク側により送信される第４のブロードキャスト・メッセージを受信し、当該指定サービス警告情報を取得するステップを実行するように構成される。
【０２３３】
場合によっては、第４のブロードキャスト・メッセージがリソース有効時間をさらに運搬し、当該リソース有効時間が専用リソースがアクティブである期間であるとき、当該プロセッサはさらに、当該リソース有効時間を第４のブロードキャスト・メッセージから取得し、当該リソース有効時間を格納し、当該リソース有効時間を事前設定有効時間として使用するステップを実行するように構成される。
【０２３４】
場合によっては、第１のメッセージがリソース有効時間をさらに運搬し、当該リソース有効時間が専用リソースがアクティブである期間であるとき、当該プロセッサはさらに、当該リソース有効時間を第１のメッセージから取得し、当該リソース有効時間を格納し、当該リソース有効時間を事前設定有効時間として使用するステップを実行するように構成される。
【０２３５】
場合によっては、当該プロセッサはさらに、サービスの開始命令が受信されたとき、当該サービスが指定サービスかどうかを判定するステップと、当該サービスが指定サービスであり、専用リソースの動作状態が起動状態であるとき、当該専用リソースから、当該サービスにより占有されるリソースを選択するステップ、または、当該サービスが非指定サービスであり、当該専用リソースの動作状態が起動状態であるとき、別のリソースから、当該サービスにより占有されるリソースを選択するステップであって、当該別のリソースは専用リソースを含まないステップと、事前設定有効時間が切れたとき、当該専用リソースを停止状態に設定するステップとを実行するように構成される。
【０２３６】
場合によっては、当該プロセッサはさらに、ネットワーク側により送信された第２のメッセージを受信するステップであって、第２のメッセージは取消命令を運搬し、当該取消命令は、指定サービスの専用リソース上の割当て命令を取り消すように端末に指示するために使用されるステップと、当該取消命令を第２のメッセージから取得し、当該専用リソースを解放するステップとを実行するように構成される。
【０２３７】
上述の端末１６の動作プロセスについては、上述のリソース割当て方法の処理プロセスを参照されたい。
【０２３８】
本発明の当該実施形態をＬＴＥおよびＷＣＤＭＡ（登録商標）に適用してもよい。
【０２３９】
便宜上および説明の簡単さのため、上述の機能モジュールの分割は例示のための例として用いたことは当業者には明らかに理解される。実際の適用では、上述の機能を異なる機能モジュールに割り当てて、必要に応じて実装することができる。即ち、装置の内部構造を異なる機能モジュールに分割して、上述の機能の全部または一部を実装する。上述のシステム、装置、およびユニットの詳細な動作プロセスについては、上述の方法の実施形態における対応するプロセスを参照されたい。詳細についてはここで再度説明することはしない。
【０２４０】
本明細書で提供したこれらの幾つかの実施形態において、開示したシステム、装置、および方法を他の方式で実装してもよいことは理解される。例えば、説明した装置の実施形態は例にすぎない。例えば、モジュール分割またはユニット分割は論理的な機能分割にすぎず、実際の実装では他の分割であってもよい。例えば、複数のモジュールまたはコンポーネントを組み合わせるかもしくは別のシステムに統合してもよく、または、幾つかの機能を無視するかまたは実施しなくともよい。さらに、表示または議論した相互接続または直接接続または通信接続を幾つかのインタフェースにより実装してもよい。装置またはユニットの間の間接接続または通信接続を電気的、機械的、または他の形態で実装してもよい。
【０２４１】
別個の部分として説明したユニットが物理的に別個であってもなくてもよく、ユニットとして表示した部分が物理的なユニットであってもなくてもよく、１つの場所に配置されていてもよく、または、複数のネットワーク・ユニットに分散されてもよい。当該ユニットの一部または全部を、諸実施形態の解決策の目的を達成するための実際のニーズに従って選択してもよい。
【０２４２】
さらに、本発明の諸実施形態の機能ユニットを１つの処理ユニットに統合してもよく、または、当該ユニットの各々が物理的に単体で存在してもよく、または、複数のユニットが１つのユニットに統合される。当該統合ユニットをハードウェアの形で実装してもよく、または、ソフトウェア機能ユニットの形で実装してもよい。
【０２４３】
当該統合ユニットをソフトウェア機能ユニットの形で実装し独立な製品として販売または使用するときは、当該統合ユニットをコンピュータ可読記憶媒体に格納してもよい。かかる理解のもと、本発明の技術的解決策を本質的に、または先行技術に貢献する部分、または当該技術的解決策の全部または一部を、ソフトウェア製品の形で実装してもよい。当該ソフトウェア製品は記憶媒体に格納され、本発明の諸実施形態で説明した方法のステップの全部または一部を実施するようにコンピュータ装置（パーソナル・コンピュータ、サーバ、またはネットワーク装置等であってもよい）またはプロセッサに指示するための幾つかの命令を含む。上述の記憶媒体には、ＵＳＢフラッシュ・ドライブ、取外し可能ハード・ディスク、読取専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、または光ディスクのような、プログラム・コードを格納できる任意の媒体が含まれる。
【０２４４】
以上の説明は本発明の特定の実装方式にすぎず、本発明の保護範囲を限定するものではない。本発明で開示した技術的範囲内で当業者に容易に想到される任意の変形または置換えは本発明の保護範囲に入るものとする。したがって、本発明の保護範囲は特許請求の範囲の保護範囲により支配される。
【符号の説明】
【０２４５】
１０  ネットワーク装置
１００１  送信ユニット
１１  端末
１１１  受信ユニット
１１２  処理ユニット
１１３  取得ユニット
１１４  検索ユニット
１１５  決定ユニット
１５  ネットワーク装置
１５１  メモリ
１５２  無線通信モジュール
１５３  プロセッサ
１６  端末
１６１  メモリ
１６２  無線通信モジュール
１６３  プロセッサ
【図１】
2016506189.tif 000003
【図２】
2016506189.tif 000004
【図３】
2016506189.tif 000005
【図４】
2016506189.tif 000006
【図５】
2016506189.tif 000007
【図６】
2016506189.tif 000008
【図７】
2016506189.tif 000009
【図８】
2016506189.tif 000010
【図９】
2016506189.tif 000011
【図１０】
2016506189.tif 000012
【図１１】
2016506189.tif 000013
【図１２】
2016506189.tif 000014
【図１３】
2016506189.tif 000015
【図１４】
2016506189.tif 000016
【図１５】
2016506189.tif 000017
【図１６】
2016506189.tif 000018
【手続補正書】
【提出日】平成27年8月13日(2015.8.13)
【手続補正１】
【補正対象書類名】明細書
【補正対象項目名】０００３
【補正方法】変更
【補正の内容】
【０００３】
先行技術では、緊急サービスに独占されるアクセス・リソースは、ＥＴＷＳ情報が大量のアクセス・サービスを発生させたとき、ネットワークが、当該アクセス・リソースの判定に基づいて、専用アクセス・リソースを利用する緊急サービスのアクセスを優先的に許可できるように、当該緊急サービスに割り当てられる。しかし、緊急サービスに独占されるアクセス・リソースを当該緊急サービスに割り当てるプロセスにおいて、ＥＴＷＳは偶発的事象にすぎず、専用アクセス・リソースを占有させ続けると当該ネットワークのリソース利用効率が低下することを発見した。
【手続補正２】
【補正対象書類名】明細書
【補正対象項目名】００８５
【補正方法】変更
【補正の内容】
【００８５】
当該指定サービスが、緊急サービスであってもよく、または、端末により予め設定された相対的に高いアクセス・レベルを有するサービスのような高優先度のサービスであってもよい。当該指定サービスの具体的な範囲は本明細書では限定されない。
【手続補正３】
【補正対象書類名】明細書
【補正対象項目名】００８６
【補正方法】変更
【補正の内容】
【００８６】
ネットワーク側はネットワーク上のリソース占有を検出し続け、ネットワーク上のリソース占有が第１の閾値を超過したことが検出されたとき、例えば、第１の閾値が７０％であるとき、ネットワーク側は専用リソースを当該指定サービスに割り当てる。例えば、当該指定サービスが緊急サービスであるとき、当該実施形態では当該緊急サービスがアクセスを取得できないという問題を回避することができる。
【手続補正４】
【補正対象書類名】明細書
【補正対象項目名】００９８
【補正方法】変更
【補正の内容】
【００９８】
第１のメッセージはページング・メッセージまたはブロードキャスト・メッセージである。第１のメッセージがブロードキャスト・メッセージであるとき、先行技術では、基地局が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【手続補正５】
【補正対象書類名】明細書
【補正対象項目名】０１０２
【補正方法】変更
【補正の内容】
【０１０２】
端末上の指定サービスを開始するとき、先行技術を用いることによって、リソースが、格納された専用リソースから選択されて占有される。
【手続補正６】
【補正対象書類名】明細書
【補正対象項目名】０１０４
【補正方法】変更
【補正の内容】
【０１０４】
さらに、第１のメッセージがページング・メッセージであるとき、端末上の指定サービスのリソース割当てが、指定されたリソースであり当該ページング・メッセージで運搬される専用リソースに従って決定される。端末が別の更新されたページング・メッセージを受信し、当該更新されたページング・メッセージが第２の指定サービスの専用リソースを運搬するとき、端末は、第２の指定サービスの専用リソースに従って端末上の第２の指定サービスのリソース割当てを決定して、当該指定サービスのものであり第１のメッセージ内にある過去の専用リソースを置き換える。
【手続補正７】
【補正対象書類名】明細書
【補正対象項目名】０１１１
【補正方法】変更
【補正の内容】
【０１１１】
換言すれば、当該指定サービスの過去に設定された専用リソースの当該指定サービスによる独占が停止される、即ち、停止後に、非指定サービスが、アクセス命令が開始された後に当該指定サービスの専用リソースを占有することができる。
【手続補正８】
【補正対象書類名】明細書
【補正対象項目名】０１１７
【補正方法】変更
【補正の内容】
【０１１７】
先行技術では、基地局がブロードキャスト・メッセージを定期的に送信する。例えば、第３のブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスに対する専用リソース構成リストを運搬する。例えば、当該専用リソースはアクセス・チャネル・リソースおよび／またはアクセス・コード・リソースである。
【手続補正９】
【補正対象書類名】明細書
【補正対象項目名】０１２３
【補正方法】変更
【補正の内容】
【０１２３】
例えば、端末により受信された第１の識別子が１であるとき、当該識別子１に対応する専用リソースが検索され、当該専用リソースが起動される。即ち、緊急サービスに対応する専用リソースが起動され、非緊急サービスは当該専用リソースを占有することができない。
【手続補正１０】
【補正対象書類名】明細書
【補正対象項目名】０１２７
【補正方法】変更
【補正の内容】
【０１２７】
第１のメッセージはページング・メッセージまたはブロードキャスト・メッセージである。第１のメッセージがブロードキャスト・メッセージであるとき、先行技術では、基地局が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【手続補正１１】
【補正対象書類名】明細書
【補正対象項目名】０１３６
【補正方法】変更
【補正の内容】
【０１３６】
第１のメッセージはページング・メッセージまたはブロードキャスト・メッセージである。第１のメッセージがブロードキャスト・メッセージであるとき、先行技術では、基地局が当該ブロードキャスト・メッセージを定期的に送信する。例えば、当該ブロードキャスト・メッセージがＳＩＢ２（ｓｙｓｔｅｍ  ｉｎｆｏｒｍａｔｉｏｎ  ｂｌｏｃｋ２、システム情報ブロック２）であるとき、当該実施形態では、当該ＳＩＢ２の無線リソース構成設定（ｒａｄｉｏ  Ｒｅｓｏｕｒｃｅ  Ｃｏｎｆｉｇ  Ｃｏｍｍｏｎ）におけるＲＡＣＨ構成設定（ｒａｃｈ−Ｃｏｎｆｉｇ  Ｃｏｍｍｏｎ）が指定サービスの専用リソースを運搬する。例えば、当該専用リソースはアクセス・チャネル・リソースおよび／またはアクセス・コード・リソースである。
【手続補正１２】
【補正対象書類名】明細書
【補正対象項目名】０１４２
【補正方法】変更
【補正の内容】
【０１４２】
タイマは端末で固定され、タイマの設定時間は事前設定有効時間、例えば、２秒である。タイマの機能は、タイマによる計時のプロセスにおいて、専用リソースが起動状態であるときに、指定サービスが開始されたときのみ当該専用リソースを占有でき、非指定サービスが当該専用リソースを占有できないというものである。
【手続補正１３】
【補正対象書類名】明細書
【補正対象項目名】０１４５
【補正方法】変更
【補正の内容】
【０１４５】
方式２
端末が事前設定有効時間に従って専用リソースを起動状態に設定する前に、端末は、指定サービス警告情報を運搬し基地局により送信される第４のブロードキャスト・メッセージを受信し、当該指定サービス警告情報を取得する。第４のブロードキャスト・メッセージがリソース有効時間をさらに運搬し、当該リソース有効時間は専用リソースがアクティブである期間である。
【手続補正１４】
【補正対象書類名】明細書
【補正対象項目名】０１５１
【補正方法】変更
【補正の内容】
【０１５１】
端末は先ず、そのアクセスが命令開始をトリガしたサービスが指定サービスであるかどうかを判定する。例えば、当該指定サービスが緊急サービスであるとき、端末は、先行技術を用いることによって当該緊急サービスの決定を実施してもよい。
【手続補正１５】
【補正対象書類名】明細書
【補正対象項目名】０１５５
【補正方法】変更
【補正の内容】
【０１５５】
当該サービスが非指定サービスであり、専用リソースの動作状態が起動状態であると端末が判定したとき、接続を確立するプロセスにおいて当該非指定サービスによりアクセスおよび占有できるリソースは、先行技術を用いて別のリソースから、即ち、当該専用リソースを含まないリソースから選択される。したがって、非指定サービスが指定サービスに影響を及ぼすという問題が回避される。当該問題は、端末上の指定サービスを開始する必要があるときに、アクセスを取得するためにリソースが選択され、非指定サービスもアクセスを取得するために同一のリソースを選択できるため当該指定サービスと非指定サービスの間で衝突が発生することに起因する。
【手続補正１６】
【補正対象書類名】明細書
【補正対象項目名】０１６２
【補正方法】変更
【補正の内容】
【０１６２】
基地局はネットワーク上のリソース占有を検出し続ける。ネットワーク上のリソース占有が第２の閾値未満であることが検出されたとき、例えば、第２の閾値が３０％であるとき、基地局はもはや専用リソースを指定サービスに割り当てない。
【手続補正１７】
【補正対象書類名】明細書
【補正対象項目名】０１６３
【補正方法】変更
【補正の内容】
【０１６３】
９０２で、端末が、基地局により送信された第２のメッセージを受信する。
【手続補正１８】
【補正対象書類名】明細書
【補正対象項目名】０１６８
【補正方法】変更
【補正の内容】
【０１６８】
実施形態２
本発明の１実施形態ではネットワーク装置１０を提供する。図１０に示すように、ネットワーク装置１０は送信ユニット１００１を備える。
【手続補正１９】
【補正対象書類名】特許請求の範囲
【補正対象項目名】全文
【補正方法】変更
【補正の内容】
【特許請求の範囲】
【請求項１】
ネットワーク上のリソース占有が第１の閾値を越えることが検出されたとき、第１のメッセージを端末に送信して、前記端末が前記端末上の指定サービスのリソース割当てを専用リソースに従って決定するようにするステップであって、前記第１のメッセージは前記指定サービスの前記専用リソースを運搬し、前記専用リソースは、前記端末で前記指定サービスを開始したときに選択され占有されるリソースであるステップを含む、リソース割当て方法。
【請求項２】
前記端末が前記端末上の前記指定サービスのリソース割当てを前記専用リソースに従って決定することは、前記指定サービスに関するアクセス開始命令が受信されたとき、リソースが前記専用リソースから選択され占有されるように、前記専用リソースを起動状態に設定するステップを含む、請求項１に記載のリソース割当て方法。
【請求項３】
前記第１のメッセージはページング・メッセージまたはブロードキャスト・メッセージである、請求項２に記載のリソース割当て方法。
【請求項４】
前記第１のメッセージが第１のブロードキャスト・メッセージであるとき、第１のメッセージを端末に送信した後、
修正指示を運搬する第１のページング・メッセージを前記端末に送信するステップと、
第２のブロードキャスト・メッセージを前記端末に送信するステップであって、前記端末が前記指定サービスの前記専用リソースを停止状態に設定し、第２の指定サービスの前記専用リソースを起動状態に設定するように、前記第２のブロードキャスト・メッセージは前記第２の指定サービスの専用リソースを運搬する、ステップと、
をさらに含む、請求項３に記載のリソース割当て方法。
【請求項５】
前記ネットワーク上のリソース占有が第２の閾値未満であることが検出されたとき、第２のメッセージを前記端末に送信するステップであって、前記第２のメッセージは取消命令を運搬し、前記取消命令は、前記指定サービスの前記専用リソース上の割当て命令を取り消すように前記端末に指示するために使用されるステップ
をさらに含む、請求項１乃至４の何れか１項に記載のリソース割当て方法。
【請求項６】
ネットワーク側により送信された第１のメッセージを受信するステップであって、前記第１のメッセージは指定サービスの専用リソースを運搬し、前記専用リソースは、端末で前記指定サービスが開始されたとき選択され占有されるリソースであるステップと、
前記端末上の前記指定サービスのリソース割当てが前記専用リソースに従って決定されるように、前記専用リソースを前記第１のメッセージから取得し、前記専用リソースを格納するステップと、
を含む、リソース割当て方法。
【請求項７】
前記端末上の前記指定サービスのリソース割当てが前記専用リソースに従って決定されることは、
前記指定サービスに関するアクセス開始命令が受信されたとき、リソースが前記専用リソースから選択され占有されるように、前記専用リソースを起動状態に設定するステップ
を含む、請求項６に記載のリソース割当て方法。
【請求項８】
前記第１のメッセージはページング・メッセージまたはブロードキャスト・メッセージである、請求項７に記載のリソース割当て方法。
【請求項９】
前記第１のメッセージが第１のブロードキャスト・メッセージであるとき、前記専用リソースを起動状態に設定した後、
修正指示を運搬し前記ネットワーク側により送信された第１のページング・メッセージが受信されたとき、第２のブロードキャスト・メッセージを取得するステップであって、前記第２のブロードキャスト・メッセージは第２の指定サービスの専用リソースを運搬するステップと、
前記第２の指定サービスの前記専用リソースを前記第２のブロードキャスト・メッセージから取得し、前記第２の指定サービスの前記専用リソースを格納するステップと、
前記指定サービスの前記専用リソースを停止状態に設定し、前記第２の指定サービスの前記専用リソースを起動状態に設定するステップと、
をさらに含む、請求項８に記載のリソース割当て方法。
【請求項１０】
前記ネットワーク側により送信された第２のメッセージを受信するステップであって、前記第２のメッセージは取消命令を運搬し、前記取消命令は、前記指定サービスの前記専用リソース上の割当て命令を取り消すように前記端末に指示するために使用されるステップと、
前記取消命令を前記第２のメッセージから取得し、前記専用リソースを解放するステップと、
をさらに含む、請求項６乃至９の何れか１項に記載のリソース割当て方法。
【請求項１１】
ネットワーク上のリソース占有が第１の閾値を越えることが検出されたとき、第１のメッセージを端末に送信するように構成された送信ユニットであって、前記端末が前記端末上の指定サービスのリソース割当てを専用リソースに従って決定するように、前記第１のメッセージは前記指定サービスの前記専用リソースを運搬し、前記専用リソースは、前記端末で前記指定サービスを開始したときに選択され占有されるリソースである、送信ユニット
を備える、ネットワーク装置。
【請求項１２】
前記送信ユニットにより送信された前記第１のメッセージはページング・メッセージまたはブロードキャスト・メッセージである、請求項１１に記載のネットワーク装置。
【請求項１３】
前記第１のメッセージが第１のブロードキャスト・メッセージであるとき、
前記送信ユニットはさらに、修正指示を運搬する第１のページング・メッセージを前記端末に送信するように構成され、第２のブロードキャスト・メッセージを前記端末に送信するようにさらに構成され、前記端末が前記指定サービスの前記専用リソースを停止状態に設定し、第２の指定サービスの前記専用リソースを起動状態に設定するように、前記第２のブロードキャスト・メッセージは前記第２の指定サービスの専用リソースを運搬する、
請求項１２に記載のネットワーク装置。
【請求項１４】
前記送信ユニットはさらに、前記ネットワーク上のリソース占有が第２の閾値未満であることが検出されたとき、第２のメッセージを前記端末に送信するように構成され、前記第２のメッセージは取消命令を運搬し、前記取消命令は、前記指定サービスの前記専用リソース上の割当て命令を取り消すように前記端末に指示するために使用される、請求項１１乃至１３の何れか１項に記載のネットワーク装置。
【請求項１５】
端末であって、
ネットワーク側により送信された第１のメッセージを受信するように構成された受信ユニットであって、前記第１のメッセージは指定サービスの専用リソースを運搬し、前記専用リソースは、端末で前記指定サービスが開始されたとき選択され占有されるリソースである受信ユニットと、
前記端末上の前記指定サービスのリソース割当てが前記専用リソースに従って決定されるように、前記専用リソースを前記受信ユニットにより受信された前記第１のメッセージから取得し、前記専用リソースを格納するように構成された処理ユニットと、
を備える、端末。
【請求項１６】
前記処理ユニットは、前記指定サービスに関するアクセス開始命令が受信されたとき、リソースが前記専用リソースから選択され占有されるように、前記専用リソースを起動状態に設定するように構成された、請求項１５に記載の端末。
【請求項１７】
前記受信ユニットにより受信された前記第１のメッセージはページング・メッセージまたはブロードキャスト・メッセージである、請求項１６に記載の端末。
【請求項１８】
前記受信ユニットにより受信された前記第１のメッセージが第１のブロードキャスト・メッセージであるとき、
前記処理ユニットはさらに、修正指示を運搬し前記ネットワーク側により送信された第１のページング・メッセージを前記受信ユニットが受信したとき、第２のブロードキャスト・メッセージを取得するように構成され、前記第２のブロードキャスト・メッセージは第２の指定サービスの専用リソースを運搬し、
前記端末はさらに、
前記第２の指定サービスの前記専用リソースを前記第２のブロードキャスト・メッセージから取得し、前記第２の指定サービスの前記専用リソースを格納するように構成された取得ユニット
を備え、
前記処理ユニットはさらに、前記指定サービスの前記専用リソースを停止状態に設定し、前記第２の指定サービスの前記専用リソースを起動状態に設定するように構成された、
請求項１７に記載の端末。
【請求項１９】
前記受信ユニットはさらに、前記ネットワーク側により送信された第２のメッセージを受信するように構成され、前記第２のメッセージは取消命令を運搬し、前記取消命令は、前記指定サービスの前記専用リソース上の割当て命令を取り消すように前記端末に指示するために使用され、
前記処理ユニットはさらに、前記取消命令を前記第２のメッセージから取得し、前記専用リソースを解放するように構成された、
請求項１５乃至１８の何れか１項に記載の端末。
【国際調査報告】
2016506189.tif 000019
2016506189.tif 000020
2016506189.tif 000021
2016506189.tif 000022